(57)【要約】      （修正有）【課題】傷付き易い軟部組織構造体を切り裂くことなく、該軟部組織構造体（例えば、神経、血管、薄膜等）との接触を許容しつつ、骨を効率的に穿孔し、切断し、又は整形する設計とされた外科用バーの形態を提供する。【解決手段】外科用バー２５４は縦溝２６０と、ランド部２５８とを含む。縦溝の各々は、刃部と、すくい面２６４、２６５と、クリアランス面２６７とを含む。縦溝の１つのすくい面は、互いに切り離されている。ランド部の各々は、１対の縦溝の間に配設されている。【選択図】図８
2020036968.tif 000002
【特許請求の範囲】
【請求項１】
外科用バーにおいて、
複数の縦溝を備え、該複数の縦溝の各々は、刃部と、複数のすくい面と、クリアランス面とを備え、
複数の縦溝の１つの複数のすくい面は、互いに切り離されており、
複数のランド部を備え、該複数のランド部の各々は、１対の複数の縦溝の間に配される、外科用バー。
【請求項２】
請求項１に記載の外科用バーにおいて、
複数の縦溝の１つの複数のすくい面は、
第１のすくい面と、
該第１のすくい面と異なるすくい角を有する第２のすくい面とを備える、外科用バー。
【請求項３】
請求項２に記載の外科用バーにおいて、
第１のすくい面又は第２のすくい面は、複数の半径方向すくい角を有する、外科用バー。
【請求項４】
請求項２に記載の外科用バーにおいて、
第１のすくい面及び第２のすくい面の各々は、複数の半径方向すくい角を有する、外科用バー。
【請求項５】
請求項２から４の何れか１項に記載の外科用バーにおいて、
第１のすくい面又は第２のすくい面は、負の半径方向すくい角、中立の半径方向すくい角及び正の半径方向すくい角を含む、外科用バー。
【請求項６】
請求項２から４の何れか１項に記載の外科用バーにおいて、
第１のすくい面又は第２のすくい面は、複数の半径方向すくい角を備え、
該複数の半径方向すくい角は、異なる頂点を有する、外科用バー。
【請求項７】
請求項２に記載の外科用バーにおいて、
第１のすくい面は、外科用バーの対応する刃部に沿って第１の一定の半径方向すくい角を有し、
第２のすくい面は、外科用バーの対応する刃部に沿って第２の一定の半径方向すくい角を有する、外科用バー。
【請求項８】
上記請求項の何れか１項に記載の外科用バーにおいて、
前記複数のランド部の各々は、凸型の形状である、外科用バー。
【請求項９】
請求項１に記載の外科用バーにおいて、
前記複数の縦溝の１つは、
第１の頂点と、刃部の１つの第１の対応する部分とを有する第１のすくい面を備え、
該第１のすくい面の深さ寸法は、第１の頂点から刃部の１つの第１の対応する部分の基端における点まで増大し、
第２の頂点を有する第２のすくい面を備え、
該第２のすくい面の深さ寸法は、第２の頂点から、（ｉ）外科用バーの赤道、（ｉｉ）第２のすくい面の基端、（ｉｉｉ）外科用バーの基端、又は（ｉｖ）複数の縦溝の１つの基端まで増大する、外科用バー。
【請求項１０】
請求項９に記載の外科用バーにおいて、
第１のすくい面の頂点は、同一の点にある、外科用バー。
【請求項１１】
請求項９に記載の外科用バーにおいて、
複数の縦溝の前記１つは、切り離し領域を備え、
該切り離し領域は、複数の縦溝の前記１つの複数のすくい面の２つの間に配置される、外科用バー。
【請求項１２】
請求項１に記載の外科用バーにおいて、
複数の縦溝の各々の複数のすくい面は、互いに切り離されており、
前記複数の縦溝の各々は、それぞれの切り離し領域を備え、
該切り離し領域の各々は、複数の縦溝の１つの対応する複数のすくい面の２つの間に配置される、外科用バー。
【請求項１３】
請求項１に記載の外科用バーにおいて、
複数の縦溝の各々の複数のすくい面は、それぞれの点にて合わさる、外科用バー。
【請求項１４】
請求項１に記載の外科用バーにおいて、
前記複数の縦溝の各々の複数のすくい面は、
第１のすくい面と、
頂点を有する第２のすくい面と、を備え、
複数の縦溝の各々に対して、第１のすくい面の各々の基端点又は端部は、対応する第２のすくい面のそれぞれの頂点にある、外科用バー。
【請求項１５】
請求項１に記載の外科用バーにおいて、
前記複数の縦溝の各々における複数のすくい面は、それぞれの平面にあり、かつ外科用バーの長手方向軸線に対して異なる角度にある、外科用バー。・
【請求項１６】
請求項１に記載の外科用バーにおいて、
前記複数の縦溝の１つは、
第１の軸方向角度を有する第１のすくい面と、
第２の軸方向角度を有する第２のすくい面と、を備え、
前記第１の軸方向角度及び第２の軸方向角度の１つは、外科用バーの長手方向軸線に対して正の軸方向角度であり、前記第１の軸方向角度及び第２の軸方向角度の他方は、該長手方向軸線に対して負の軸方向角度である、外科用バー。
【請求項１７】
請求項１６に記載の外科用バーにおいて、
前記第１の軸方向角度は、負の軸方向すくい角であり、
前記第２の軸方向角度は、正の軸方向すくい角であり、
前記第２のすくい角は、前記第１のすくい面の基端側にある、外科用バー。
【請求項１８】
請求項１６又は１７に記載の外科用バーにおいて、
前記第１のすくい面は、外科用バーの対応する刃部に沿って第１の一定の軸方向すくい角を有し、
前記第２のすくい面は、外科用バーの対応する刃部に沿って第２の一定の軸方向すくい角を有する、外科用バー。
【請求項１９】
請求項１に記載の外科用バーにおいて、
複数の軸方向逃がし面を有する穿孔点を更に備え、
前記複数の軸方向逃がし面の各々は、（ｉ）刃部の各１つの末端部分と、（ｉｉ）ランド部の各１つと、（ｉｉｉ）クリアランス面の各１つと境を接する、外科用バー。
【請求項２０】
請求項１９に記載の外科用バーにおいて、
前記複数の軸方向逃がし面の各々は、平面状領域を有し、かつ前記ランド部から区別される、外科用バー。
【請求項２１】
外科用バーにおいて、
複数の縦溝を備え、該複数の縦溝の各々は、刃部と、複数のすくい面と、クリアランス面とを備え、縦溝の１つの複数のすくい面は、
第１のすくい角を有する第１のすくい面と、
第２のすくい角を有する第２のすくい面と、を備え、前記第２のすくい角は、前記第１の角掬い角から切り離されており、
複数のランド部を更に備え、該複数のランド部の各々は、１対の複数の縦溝の間に配設される、外科用バー。
【請求項２２】
請求項２１に記載の外科用バーにおいて、
前記縦溝の１つの第１のすくい面は、負の軸方向すくい角を有し、
前記縦溝の１つの第２のすくい面は、正の半径方向すくい角を有する、
【請求項２３】
請求項２１に記載の外科用バーにおいて、
前記縦溝の１つの第１のすくい面及び刃部の１つの第１の対応する部分は、外科用バーの長手方向軸線に対して平行に又は該長手方向軸線に沿った方向に穿孔する形態とされ、
前記縦溝の１つの第２のすくい面及び刃部の１つの第２の対応する部分は、外科用バーの長手方向軸線に対して半径方向又は横方向に切断する形態とされた、外科用バー。
【請求項２４】
請求項２１に記載の外科用バーにおいて、
前記刃部の各々は、
前記第１のすくい面の１つに第１の対応する部分を備え、該第１の部分は、外科用バーを側部から見たとき、外科用バーの長手方向軸線の第１の側部にあり、
前記第２のすくい面の１つに相応し、かつする第１の部分の対応する１つから伸び、また、該対応する部分の基端側にある第２の部分を更に備え、
該第２の部分は、外科用バーを側部から見たとき、長手方向軸線を横断する、外科用バー。
【請求項２５】
請求項２１に記載の外科用バーにおいて、
前記複数の縦溝の前記１つの複数のすくい面は、互いに切り離されている、外科用バー。
【請求項２６】
請求項２１に記載の外科用バーにおいて、
第１のすくい面は、第１の頂点と、刃部の１つの第１の対応する部分とを有し、
該第１のすくい面の深さ寸法は、該頂点から前記刃部の１つの第１の対応する部分の基端の点まで増大し、
前記第２のすくい面は、第２の頂点を有し、
該第２のすくい面の深さ寸法は、第２の頂点から、（ｉ）外科用バーの赤道、（ｉｉ）第２のすくい面の基端、（ｉｉｉ）外科用バーの基端、又は（ｉｖ）複数の縦溝の１つの基端まで増大する、外科用バー。
【請求項２７】
請求項２１に記載の外科用バーにおいて、
前記第１のすくい面の頂点は、同一の点にある、外科用バー。
【請求項２８】
請求項２１に記載の外科用バーにおいて、
前記複数の縦溝の前記１つは、切り離し領域を備え、
該切り離し領域は、第１のすくい面と第２のすくい面との間に配置される、外科用バー。
【請求項２９】
請求項２１に記載の外科用バーにおいて、
前記複数の縦溝の各々は、それぞれの切り離し領域を備え、
前記切り離し領域の各々は、前記複数の縦溝の各１つの複数のすくい面の２つの間に配置される、外科用バー。
【請求項３０】
請求項２１に記載の外科用バーにおいて、
前記複数の縦溝は、それぞれの第１のすくい面と、それぞれの第２のすくい面とを備え、前記複数の縦溝の各々に対して、第１のすくい面は、それぞれの点にて第２のすくい面と合わさり、
第２のすくい面の各々は、それぞれの頂点を備え、
前記複数の縦溝の各々に対して、第１のすくい面の各々の基端点又は基端は、対応する第２のすくい面のそれぞれの頂点にある、外科用バー。
【請求項３１】
請求項２１に記載の外科用バーにおいて、
複数の軸方向の逃がし面を有する穿孔点を更に備え、
前記複数の軸方向逃がし面の各々は、（ｉ）刃部１８６の各１つの末端部分と、（ｉｉ）ランド部の各１つと、（ｉｉｉ）クリアランス面の各１つと境を接する、外科用バー。
【発明の詳細な説明】
【技術分野】
【０００１】
［０００１］本出願は、２０１４年４月１６日に出願された米国仮特許出願第６１／９８０，１０２号及び２０１５年３月２０日に出願された米国実用新案登録出願第１４／６６４，２５８号の利益を主張するものである。上記の出願の開示内容は、参考として引用し、本明細書に含めてある。
【０００２】
［０００２]  本発明は、骨を切断し又は且つ整形する外科用システム、より特定には
、外科用バー（ｓｕｒｇｉｃａｌ  ｂｕｒ）に関する。
【背景技術】
【０００３】
［０００３］  この文節は、必ずしも先行技術とはならない、本発明に関係した背景情報を提供する。
［０００４］  外科用バーは、外科的術を行う間、骨を効率的に切開し、切断し且つ（または）整形するための鋭利でかつ耐久性のある刃部を必要とする。人間の解剖学的組織は、神経及び血管のような傷つき易い柔部組織構造体を保護するため骨の近くに位置するのが一般的である。これらの構造体は、硬膜を含む。硬膜は、患者の脳及び脊柱を取り囲む保護のための軟部組織の最外側層を意味する。脳及びの脊柱の術を行う間、バーの末端が硬膜と接触する可能性がある。「末端」という語は、回転するバーを有する外科用ツールを保持する医療従事者から最も遠方の箇所を意味する。「基端」という語は、医療従事者に向かい、かつ患者から離れる箇所を意味する。
【発明の概要】
【発明が解決しようとする課題】
【０００４】
［０００５］  外科用バーは、軸方向に穿孔するとき、安定性を持たせると共に、半径方向に動かす間、効率的に切断し得ることが望ましい。軸方向とは、例えば、外科用バーの長手方向軸線に対して平行な方向、その軸線に沿った方向、及び（または）該軸線と直線状の方向とすることができる。半径方向とは、例えば、外科用バーの長手方向軸線から離れかつその軸線に対して平行でない方向とすることができる。半径方向とは、該長手方向軸線から離れかつ（または）その軸線に対して垂直な方向とすることができる。
【課題を解決するための手段】
【０００５】
［０００６］  この文節は、本発明の全体的な概要を記述するものであり、その特徴の範囲の全部又はその全てを包括的に開示するものではない。
［０００７］  縦溝と、ランド部とを含む、外科用バーが提供される。縦溝の各々は、刃部、すくい面、及びクリアランス面を含む。１つの縦溝のすくい面は、互いに切り離されている。縦溝の各々のすくい面は、互いに切り離すことができる。ランド部の各々は、１対の縦溝の間に配設されている。
【０００６】
［０００８］  その他の特徴において、縦溝と、ランド部とを含む、外科用バーが提供される。縦溝の各々は、刃部、すくい面、及びクリアランス面を含む。１つの縦溝のすくい面は、（ｉ）第１のすくい角を有する第１のすくい面と、（ｉｉ）第２のすくい角を有する第２のすくい面と、を含む。縦溝の各々は、それぞれのすくい角を有する多数のすくい面を有することができる。第２のすくい角は、第１のすくい角から切り離されている。ランド部の各々は、１対の縦溝の間に配設されている。
【０００７】
［０００９］  更なる適用分野は、本明細書の記載から明らかになるであろう。本概要
の記載及び既定の特定の例は、説明のみを目的とするものであり、本発明の範囲を限定することを意図するものではない。
【図面の簡単な説明】
【０００８】
［００１０］  本明細書にて説明する図面は、選んだ実施の形態の単に説明の目的のためであり、可能な全ての実施例を示すものではなく、また、本発明の範囲を限定することを意図するものではない。
【図１】切開用ツールの側面図である。
【図２】図１の切開用ツールの斜視図である。
【図３】バーを組み込み、また、本発明の１つの実施の形態に従って患者にて使用される外科用切開カッター組立体の斜視図である。
【図４】図３の外科用切開カッター組立体の斜視図である。
【図５】すくい角及び逃がし角を示す、外科用バーの一部分の斜視図である。
【図６】本発明の１つの実施の形態に従った外科用バーを含む、切開用ツールの側面図である。
【図７】図６の切開ツールの斜視図である。
【図８】本発明の１つの実施の形態に従い、かつ外科用バーの縦溝のクリアランス面に対向した、別の外科用バー含む、別の切開用ツールの側面図である。
【図９】図８に示した位置から時計方向に９０°回転させ、かつ外科用バーの特定のすくい面に対向した、図８の外科用バーの別の側面図である。
【図１０】図８の切開用ツールの外科用バーの末端図である。
【０００９】
［００２１］  対応する参照番号は、幾つかの図面の全体を通じて対応する部品を示す。
【発明を実施するための形態】
【００１０】
［００２２]  図１及び図２には、外科用バー５４を含む、合法的に販売された（ｐｒ
ｅｄｉｃａｔｅ）切開用ツールの側面図及び斜視図が示されている。該外科用バー５４は、３つの凸型ランド部５５と、３つの縦溝５６とを含む。縦溝５６の各々は、ランド部５５の間に配置されており、また、対応する削り空間５７を有している。該ランド部５５は、外科用バー５４の長手方向軸線５８の回りにて等しく隔てられている。該ランド部５５の末端部分６２は、凸型の形状をした、軸方向逃がし面と称する。該軸方向逃がし面６２は、ランド部５５から区別できず、それは、ラント部５５及び軸方向逃がし面６２は、共に、凸型の形状であり、（または、同一型式の表面を有する）、また、軸方向逃がし面６２は、軸方向逃がし面６２とランド部５５との間に遷移面又は境界を有さずに、ランド部５５と連続しているからである。
【００１１】
［００２３］  縦溝５６は、また、長手方向軸線５８の回りにて等しく隔てられている。縦溝５６の各々は、刃部６６を有する単一のすくい面６４と、クリアランス面６８とを備えている。クリアランス面６８の各々は、末端部分（または表面）と、基端部分（または表面）とを含む。クリアランス面６８の末端部分は、参照番号７０にて識別されている。クリアランス面６８の基端部分は、参照番号７２にて識別されている。
【００１２】
［００２４］  外科用バー５４の効率及び安定性は、縦溝の各々にて見られる単一のすくい面６４により制約される。該すくい面６４を配置することは、縦溝及び対応する刃部６６の全体性に影響を及ぼす。上述したように、すくい面６４は、長手方向軸線５８に対して平行であり、また、中心点６０（外科用バー５４の末端から見たように、長手方向軸線の左側でかつ該長手方向軸線と整合していない）を通る。その結果、外科用バー５４は、中立の軸方向すくい角と、正の半径方向すくい角とを有している。
【００１３】
［００２５］  外科用バーは、（ｉ）正又は負の軸方向すくい角と、（ｉｉ）刃部に沿った位置に対して対応する縦溝の刃部に沿って変化する半径方向すくい角とを有するすくい面を備えることができる。すくい面の半径方向すくい角は、該すくい面が対応する外科用バーの長手方向軸線を貫通する平面を横断する点にて中立（すなわち、０°）とすることができる。各々が、多数の軸方向すくい角及び半径方向すくい角を含む縦溝を有する外科用バーの例について、以下に説明する。
【００１４】
［００２６］  以下の説明は、回転型外科用バー（以下、外科用バーと称する）を開示するものである。該外科用バーは、縦溝毎に切り離したすくい面（すくい面と称する）と、対応する軸方向すくい角及び半径方向すくい角とを含む。負の軸方向すくい角は、外科用バーの穿孔時の安定性を向上させることができる。正の半径方向すくい角は、外科用バーの切断効率を向上させることができる。
【００１５】
［００２７］  次に、添付図面を参照して、一例としての実施の形態に関してより詳細に説明する。以下の説明は、性質上、単に一例であり、本発明、適用例又は用途を限定することを意図するものではない。図面の全体を通じて、対応する参照番号は、同様の又は対応する部品及び特徴を示すものであることを理解すべきである。
【００１６】
［００２８］  図３には、患者１０２にて使用されている回転型外科用バーを組み込んだ外科用切開カッター組立体１００が示されている。患者は、神経の手術を受けている。脳又はその他の神経学的構造体にアクセスするためには、骨及びその他の組織の慎重な切開を必要とすることが多い。図３は、例示の目的のためにのみ掲げたものであり、本明細書にて開示した外科用バーは、種々のツール及び（または）その他のカッター組立体にて使用することができ、また、その他の術及び（または）手術のために使用することができる。該切開カッター組立体１００は、切開用ツールのドライバ１０４を含み、該ドライバは、外科的アクセス箇所１０６にて患者１０２の骨の一部分及び隣接する組織を切開するために利用されている。
【００１７】
［００２９］  図４は、外科用切開カッター組立体１００の斜視図である。該切開用ツールのドライバ１０４は、ホース又はケーブル組立体１１０と接続されたモータハウジング組立体１０８を含む。該ホース組立体１１０は、外部電力及びモータハウジング１０８の制御機能を提供する。切開用ツールのドライバ１０４は、切開用ツール１１８と接続される取り付けハウジング１１２を更に含む。切開用ツール１１８の末端は、外科用バー１２０を含む。切開用ツール１１８に代えて使用することのできる切開用ツールの例は、図６から図１０に示されており、かつこれらの図面に関して以下に説明する。
【００１８】
［００３０］  図５は、外科用バーの一部分１３０の斜視図である。該部分１３０は、刃部１３４を有するすくい面１３２と、逃がし面１３６とを含む。刃部１３４は、外科用バーの末端にあり、かつ逃がし面１３６に隣接するものとすることができる。図５は、一例として示したものであり、（ｉ）第１のすくい面の刃部の軸方向すくい角、及び軸方向逃がし面、又は（ｉｉ）第２のすくい面の刃部の半径方向すくい角及び半径方向逃がし面を説明するために使用することができる。第１のすくい面は、第２のすくい面と同一又は異なるものとすることができる。外科用バーが軸方向穿孔又は半径方向側部切断のために使用されるかどうかに依存して、外科用バーは、切断面に対して異なる方向に向けることができる。第１の方向は、軸方向穿孔のため使用し、また、第２の方向は、半径方向側部切断のため使用することができる。
【００１９】
［００３１］  第１の方向、軸方向すくい角、及び軸方向逃がし面を説明するため図５が使用されるならば、すくい角１３８（第１の方向に対する軸方向すくい角と称することができる）は、（ｉ）すくい面１３２における線１６、（または平面）１４０と、刃部１
３４に対して垂直な平面と、（ｉｉ）外科用バーが切り込み、かつ線１４に対して垂直な切断及び（または）線（水平面）１４６の方向に伸びる骨１４５の面１４４に対して垂直に伸びる線（水平面）１４２との間にあるものとすることができる。逃がし角１４８（第１の方向に対して軸方向に逃がし角と称することができる）は、逃がし面１３６（または、第１の方向に対して軸方向逃がし面１３６）における線（平面）１５０及び刃部１３４に対して垂直な平面と、（ｉｉ）線１４６との間にあるものとすることができる。刃部１３４は、第２の方向に対して線１４２に対して垂直な平面上にあるものとすることができる。外科用バーの回転可能な軸線は、第１の方向について線１４２に対して平行である。
【００２０】
［００３２］  第２の方向、半径方向すくい角及び半径方向逃がし面を示すために図５が使用されるならば、線１４２は、外科用バーの長手方向軸線に対して垂直となるものとすることができる。刃部１３４は、長手方向軸線を貫通する平面内にあるものとすることができる。第２の方向に対して、刃部１３４は、上記にて第１の方向について言及した刃部と同一の又は異なる刃部とすることができる。逃がし面１３６は、第２の方向に対して半径逃がし面と称することができる。すくい角１３８は、第２の方向に対する半径方向すくい角と称することができる。逃がし角１４８は、第２の方向に対して軸方向逃がし角と称することができる。
【００２１】
［００３３］  以下の外科用バーは、特定の数の縦溝、縦溝当たりのすくい面、縦溝当たりのすくい角、縦溝当たりのクリアランス面、ランド部、軸方向逃がし面、クリアランス面等を有するものとして図示されているが、該外科用バーは、これらの要素の各々について、その他の数を有するものとしてもよい。
【００２２】
［００３４］  図６−７には、切開用ツール１７０の側面図及び斜視図が示されている。該切開用ツール１７０は、図３の組立体１００の一部として使用し、かつ図４の切開用ツールに置換することができる。該切開用ツール１７０は、シャフト１７２と、外科用バー１７４とを含む。該外科用バー１７４は、「マッチの頭」の設計であり、かつ本体１７６を含む。該外科用バー１７４は、「神経」又は「マッチ棒」バーと称することもできる。本体１７６は、２つの凸型ランド部１７８と、２つの縦溝１８０とを有している。縦溝１８０の各々は、ランド部１７８の間に配置されており、また、対応する削り空間１８１を有している。ランド部１７８は、凸型の形状及び（または）丸形の形状とし、また、切開用ツール１７０、シャフト１７２及び（または）外科用バー１７４の長手方向軸線の回りにてそれぞれ１８０°の位置にあるようにすることができる。該外科用バーは、長手方向軸線１８２の回りにて回転させる。縦溝１８０は、長手方向軸線１８２の回りにてそれぞれ１８０°の位置にあるようにしてもよい。縦溝１８０の各々は、刃部１８６を有する二つ又は複数のすくい面（縦溝１８０当たり２つのすくい面１８４、１８５図示されている）と、末端部分（または末端クリアランス面）１８８及び基端部分（又は基端クリアランス面）１８９と有する対応するクリアランス面１８７とを備えている。クリアランス面１８８は、縦溝１８０の末端部分上にある。クリアランス面１８９は、縦溝１８０の基端部分上にある。
【００２３】
［００３５］  図示した例において、刃部１８６の第１の部分１９０は、長手方向軸線１８２から半径方向に離れ、かつ刃部１８６の第２の部分１９３に向けて、外科用バー１７４の末端にて中心点１９１又はブリッジ１９２から伸びている。該ブリッジ１９２は、中心点１９２の上方を伸び、かつランド部１７８の各１つにて軸方向逃がし面１９４と接続する。
【００２４】
［００３６］  刃部１８６の第２の部分１９３は、長手方向軸線１８２に沿って、第１の部分１９０の基端から軸方向に伸びている。刃部１８６の第１の部分１９０は、負の軸方向すくい角を有している。左側（または負の）軸方向角度が示されており、この角度は
、負の軸方向すくい角を作り出す。一例として、負の軸方向すくい角は、−５°又はその他の適当な負の軸方向すくい角とすることができる。刃部１８６の第２の部分１９３は、点２０１から基端側の正の半径方向すくい角を有している。一例としての右側（または正の）軸方向角度が図示されており、この角度は、点２０１の位置に対して明確化したとき、半径方向すくい角を作り出す。一例として、右側軸方向角度は、５°又はその他の適当な軸方向角度とすることができる。一例として、半径方向すくい角は、点１９６における−５°から第２の部分１９３の基端における５°まで変化させることができる。
【００２５】
［００３７］  軸方向すくい角は、末端方向に穿孔するとき、切断性能に影響を与える。部分１９０は、主として、末端方向に穿孔するとき、使用される。末端方向に穿孔するとき、問題となる軸方向すくい角は、長手方向軸線１８２に対して垂直な平面と、図６に示したように、外科用バーの側部から見たとき、末端すくい面１８４上の平面との間にて測定する。半径方向すくい角は、横方向への切断性能に影響を与える。部分１９０の一部分及び（または）部分１９３の一部分は、横方向に切断するとき、使用することができる。横方向とは、長手方向軸線１８２から離れる方向を意味する。横方向は、必ずしも、長手方向軸線に対して垂直な方向でなくともよい。半径方向すくい角は、長手方向軸線１８２と、刃部１８６のそれぞれの部分１９０、１９３との間にて測定する。半径方向すくい角は、外科用バー１７４のそれぞれの側部から且つ長手方向軸線１８２に対して垂直で、刃部１８６の一点を貫通する方向に向けて測定することができる。半径方向すくい角は、外科用バー１７４の末端から及び（または）外科用バーの横方向横断平面から測定してもよい。外科用バー１７４の横方向横断平面は、長手方向軸線１８２及び刃部１８６に沿った点にある。外科用バーの末端から測定した半径方向すくい角の一例が図１０に示されている。
【００２６】
［００３８］  刃部１８６上の一点における半径方向すくい角は、その点が図６に示したように、長手方向軸線１８２の前方に（または右側）にあるとき、負であると説明することができる。半径方向すくい角は、第２の部分１９３が長手方向軸線１８２を横断する点２０１にて中立である。刃部１８６上の一点における半径方向すくい角は、その点が図６に示したように、長手方向軸線１８２の後方（または左側）にあるとき、正であると説明することができる。刃部１８６の第１の部分１９０及び第２の部分１９３は、各々、それぞれの平面内にある。
【００２７】
［００３９］  縦溝１８０のすくい面１８４、１８５の軸方向及び半径方向すくい角は、切り離されている。その理由は、縦溝１８０の各々のすくい面１８４、１８５の軸方向すくい角は、相違し、かつ異なる頂点を有するからであること、及び（または）縦溝１８０の各々のすくい面１８４、１８５の半径方向すくい角は、相違し、かつ異なる頂点を有するからである。縦溝１８０の各々のすくい面１８４、１８５の半径方向すくい角は、対応する刃部に沿って一定でなくともよい。１つの実施例において、すくい面１８４，１８５の各々は、１つ又はより多数の（又は一組の）半径方向すくい角を有することができる。一例として、部分１９３に相応し、かつ外科用バー１７４の基端と第２の点１９６との間に配置されたすくい面１８４、１８５の各々は、点１２１の末端側の負の半径方向すくい角、点２０１における中立の半径方向すくい角及び点２０１の基端側の正の半径方向すくい角を含む、多数の半径方向すくい角を有している。
【００２８】
［００４０］  刃部１８６の第１の部分１９０は、中心点１９１付近にて開始し、第２の点１９６の基端側の第１の点１９５にて終わる。第１の部分１９５は、第１のすくい面１８４の末端及びクリアランス面１８８の末端とが合わさる箇所を意味する。図示しかつ上述したように、外科用バー１７４を側部から見たとき、第１の部分１９５の各々は、長手方向軸線１８２の第１の対応する側部上にある。第２の点１９６は、刃部１８６の第１の部分１９０が刃部１８６の第２の部分１９３に合わさる位置を意味する。図示しかつ上
述したように、外科用バー１７４を側部から見たとき、刃部１８６の第２の部分１９３の各々は、長手方向軸線１８２のそれぞれ第１の側部における第２の点１９６の各１つにて開始し、長手方向軸線１８２を横断して長手方向軸線１８２上のそれぞれ第２の側部まで伸びている。
【００２９】
［００４１］  刃部１８６は、長手方向軸線１８２に対して右側軸方向アスペクトと左側軸方向アスペクトとの組み合わせを提供する。刃部１８６の第１の部分１９０は、左側軸方向アスペクトを提供するものとして図示されている。この理由のため、縦溝１８０の末端部分は、左側部分と称する。刃部１８６の第２の部分１９３は、右側軸方向アスペクトを提供するものとして図示されている。この理由のため、縦溝１８０の基端部分は、右側部分と称する。左側及び右側軸方向アスペクトは、外科用バーの基端から見たとき、穿孔及び（または）切断のため、長手方向軸線の回りにて時計方向に回転し得る設計とされた、外科用バーに対して提供される。外科用バーの基端から見たとき、穿孔及び（または）切断のため、長手方向軸線の回りにて反時計方向に回転し得る設計とされた外科用バーの場合、（ｉ）第１の部分１９０は、図示したものと反対のものとし、また、（ｉｉ）第２の部分１９３は、図示したものと反対のものとし、左側軸方向アスペクトを提供するものとするものとすることができる。
【００３０】
［００４２］  クリアランス面１８８、１８９の各々は、図示するように平坦（又は平面状）とし、または湾曲させることができる。遷移端縁１９７は、縦溝１８０の各々のクリアランス面１８８、１８９の間にて横方向に伸びて、第２のすくい面１８５の対応する１つから離れることができる。クリアランス面１８８、１８９は、長手方向軸線１８２に対して異なる角度であり、また、遷移端縁１９７にて互いに接触している。遷移端縁１９７の各々は、隣接し、かつ対応するクリアランス面１８８、１８９の間の遷移部を提供する。
【００３１】
［００４３］  縦溝１８０の各々に対して、すくい面１８４、１８５は、切り離されており、その結果、互いに連続していない。縦溝１８０の各々のすくい面１８４、１８５は、区別できる平面状面として、かつ互いに平行でないにようにしてもよい。すくい面１８４、１８５が切り離されているため、クリアランス面１８９の各々は、対応する２つのすくい面１８４、１８５の間に配置された切り離し領域１９８を含む。該切り離し領域１８８は、軸方向に、かつ（または）全体して長手方向軸線１８２に沿って第２の点１９６から第２のクリアランス面１８９の末端まで伸びている。該切り離し領域１９８の末端は、横方向に、切り離し端縁１９７と整合している。第１のすくい面１８４は、第２の点１９６にて第２のすくい面１８４と合わさる。該切り離し領域１９８は、第１のすくい面１８４の基端を第２のすくい面１８５の末端から分離させる。
【００３２】
［００４４］  第１のすくい面１８４の深さ（すなわち、刃部の第１の部分１９０の間にてクリアランス面１８８までの距離）は、第１のすくい面１８４の末端から対応する点１９６まで増大することができる。第１のすくい面１８４の深さは、点１９６から点１９５まで減少することができる。第２のすくい面１８５の深さ（すなわち、刃部の第２の部分間にてクリアランス面１８９までの距離）は、第２のすくい面１８５の末端及び（または）点１９６から赤道（破線２００で示した外科用バー１７４の平面状の第２の点）及び（または）第２のすくい面１８５の基端まで増大することができる。
【００３３】
［００４５］  赤道２００は、長手方向軸線１８２に対して垂直であり、かつ外科用バー１７４の直径が最大となる箇所となるようにすることができる、外科用バー１７４の平面状部分を意味する。図示した例におけるように、外科用バーが該外科用バーの伸長した部分に対して一定の直径を有する場合、赤道は、最大の直径を有する、外科用バーの最末端部分にあるようにすることができる。赤道２００は、（ｉ）刃部１８６の第２の部分１９３が長手方向軸線１８２を横断する点２０１の末端側とし、また、（ｉｉ）第１の点１９５の基端側とすることができる。
【００３４】
［００４６］  刃部１８６のすくい面１８４、１８５及びそれぞれの部分１９０、１９３は、部分１９０、１９３のすくい角を切り離し、また、それぞれの機能を有する。刃部１８６の第１の部分１９０は、縦溝１８０の末端にあり、穿孔するときの安定性を提供する。すくい面１８４、１８５が切り離されているため、刃部１８６の第２の部分１９３を使用するとき、刃部１８６の第１の部分１９０は、側部切断または研削に与える影響が最小であり、又は、何らの悪影響も与えない。刃部１８６の第２の部分１９３は、本体１７６の側部に沿ってかつ赤道２００から離れて末端方向にかつ基端方向に伸びている。刃部１８６の第２の部分１９３は、効率的な側部切断又は研削作用を提供する。すくい面１８４、１８５が切り離されているため、刃部１８６の第１の部分１９０を使用するとき、刃部１８６の第２の部分１９３が穿孔に与える影響は最小であり、又は何らの悪影響も与えない。
【００３５】
［００４７］  外科用バー１７４は、該外科用バー１７４の末端に穿孔点２０４を含む。該穿孔点２０４は、中心点１９１と、軸方向逃がし面１９４とを含むことができる。長手方向軸線１８２は中心点１９１を貫通する。軸方向逃がし面１９４は、縦溝１８０の末端にあり、かつランド部１７８と連続するか又は図示したように、ランド部１７８から分離するようにしてもよい。軸方向逃がし面１９４は、図示したように、ランド部１７８から分離している。その理由は、軸方向逃がし面１９４は、ランド部と異なる型式の面である（例えば、ランド部１７８は、凸型とし、軸方向逃がし面１９４は、平面状の形状であるようにすることができる）からであり、また、軸方向逃がし面１９４とランド部１７８との間にて遷移面又は端縁（境界と称する）があるからである。別の実施の形態において、軸方向逃がし面１９４は、凸型の形状とし、かつ（または）ランド部１７８に対する非遷移面（または連続面）を提供するようにしてもよい。
【００３６】
［００４８］  軸方向逃がし面１９４の各々と境を接するのは、（ｉ）刃部１８６の１つの第１の部分１９０の１つと、（ｉｉ）ランド部１７８の１つの末端部分２０２と、（ｉｉｉ）クリアランス面１８８の１つである。軸方向逃がし面１９４は、図示するように、平坦面とし又は（平面状）面とすることができる。軸方向逃がし面１９４の各々は、２つの名目的な直線状端縁（クリアランス面１８８の第１の部分１９０及び末端端縁）を有し、これらの部分は、それぞれの円形の端縁により接続されている（湾曲した端縁の１つは、参照番号２０６で識別されている）。軸方向逃がし面１９４の湾曲した端縁２０６は、それぞれのランド部１７８と境を接している。
【００３７】
［００４９］  クリアランス（または末端）面１８８は、対応するみぞ角（ｇａｓｈ  ａｎｇｌｅ）を有している。みぞ角の各々は、（ｉ）１つの末端面１８８に対して平行に、かつ該末端面上にて中心点１９１及び（または）長手方向軸線１８２から離れるように伸びる線（または平面）と、（ｉｉ）長手方向軸線１８２に対して垂直に伸びる線（または平面）との間の角度を意味する。
【００３８】
［００５０］  図８−図１０には、切開用ツール２５０の側面図及び斜視図が示されている。図８には、図１０にて見たとき、左側から得た切開用ツール２５０の横側面図が示されている。図９には、図１０にて見たとき、切開用ツールの上方から得た切開用ツール２５０の横側面図（または頂面図）が示されている。切開用ツール２５０は、図３の組立体１００の一部として使用することができ、また、図４の切開用ツール１０８に置換することができる。切開用ツール２５０は、シャフト２５２と、球形の形状をした、外科用バー２５４とを含む。該外科用バー２５４は、本体２５６を含む。該本体２５６は、３つの凸型形状のランド部２５８と、３つの縦溝２６０とを有している。縦溝２６０の各々は、１対のランド部２５８の間に配置され、また、対応する削り空間２６１を有している。ランド部２５８は、凸型の形状であり且つ（または）丸形の形状であり、また、切開用ツール２５０、シャフト２５２及び（または）外科用バー２５４の長手方向軸線２６２の回りにてそれぞれ１２０°の位置にあるようにしてもよい。外科用バーは、長手方向軸線２６２の回りにて回転させる。縦溝２６０は、長手方向軸線２６２の回りにてそれぞれ１２０°の位置にあるようにしてもよい。縦溝２６０の各々は、刃部２６６を有する末端及び基端のすくい面（または、表面）２６４、２６５と、クリアランス面２６７とを備えている。クリアランス面２６７は、末端部分（または、末端クリアランス面）２６８と、基端部分（または基端側コリアランス面）２６９とを含む。該クリアランス面２６８は、縦溝２６０の末端部分上にある。クリアランス面２６９は、縦溝２６０の基端部分上にある。
【００３９】
［００５１]  外科用バー２５４は、該外科用バー２５４の末端２７４に穿孔点２７４
を含む。該穿孔点２７４は、中心点２８０と、３つの軸方向逃がし面２８２とを含むことができる。長手方向軸線２６２は、中心点２８０を貫通する。軸方向逃がし面２８２は、縦溝２６０の端部にあり、また、ランド部２５８から区別できるものとすることができる。軸方向逃がし面２８２は、ランド部２５８から区別できるものとすることができる。その理由は、軸方向逃がし面２８２は、ランド部の表面と異なる型式である（例えば、ランド部２５８は、凸型の形状とし、また、軸方向逃がし面２８２は平面状の形状としてもよい）からであり、また、軸方向逃がし面２８２とランド部２５８との間に遷移面(または境界）があるからである。別の実施の形態において、軸方向逃がし面２８２は、凸型の形状とし、かつ（または）ランド部２５８に対して遷移面（または連続面）を提供するようにしてもよい。
【００４０】
［００５２]  逃がし面２８２の各々の境を接するのは、（ｉ）刃部２６６の１つのそ
れぞれの末端（又は第１の）部分２８４と、（ｉｉ）ランド部２５８の１つの末端部分２８６と、（ｉｉｉ）クリアランス面２６８の１つの末端とである。軸方向逃がし面２８２は、図示するように、平坦面（平面状面）とすることができる。軸方向逃がし面２８２の各々は、２つの名目的に直線状端縁（名目的な直線状端縁の二つは、参照番号２８８で識別されている）と、湾曲した端縁（湾曲した端縁の１つは、参照番号２９０で識別されている）とを有する三角形の形状をしている。軸方向逃がし面２８２の湾曲した端縁２９０は、それぞれのランド部２５８と境を接している。
【００４１】
［００５３]  図示した例において、刃部２６６の第１の部分２８４は、外科用バー２
５４の末端における中心点２８０から、長手方向軸線２６２から半径方向に伸びて、刃部２６６の第２の部分２９２に向かう。刃部２６６の第２の部分２９２は、第１の部分の基端からかつ長手方向軸線２６２に沿って軸方向に伸びている。刃部２６６の第１の部分２８４は、負の軸方向すくい角を有する。一例としての左側軸方向角が図示されており、かつ負の軸方向すくい角を作り出す。一例として、負の軸方向すくい角は、−５°又はその他の適当な負の軸方向すくい角とすることができる。刃部２６６の第２の部分２９２は、点３０６から基端側にて正の半径方向すくい角を有している。一例としての軸方向角度が示されており、かつ点３０６の位置に対して明確化したとき、半径方向すくい角を作り出す。一例して、右側軸方向角度は、５°又はその他の適当な軸方向角度とすることができる。一例として、半径方向すくい角は、点２９６の近くの−２°から第２の部分２９２の基端における５°まで変化させることができる。
【００４２】
［００５４]  軸方向すくい角は、長手方向軸線２６２対して垂直な平面と、末端側す
くい面における平面との間にて測定する。半径方向すくい角は、刃部２６６の長手方向軸線２６２と、それぞれの部分２８４、２９２との間にて測定する。これらの測定値は、外科用バー２５４のそれぞれの側部からかつ長手方向軸線２６２に対して垂直な方向に向けて、また、刃部２６６における一点を貫通する方向に得たものである。刃部２６６の第１
の部分２８４及び第２の部分２９２は、各々、それぞれの平面内にあるものとすることができる。
【００４３】
［００５５]  縦溝２６０の各々のすくい角は、切り離されており、その理由は、す
くい角は異なり、かつ異なる頂点を有し、また、異なるすくい面かと関係付けられているからである。軸方向すくい角の頂点は、同一の点(例えば、中心点２８０）にあるように
してもよい。半径方向すくい角の頂点は、異なり、また、刃部２６６の第２の部分２９２が長手方向軸線２６２を横断する点(例えば、点３０６）を意味する。
【００４４】
［００５６]  刃部２６６の第１の部分２８４は、中心点２８０の近くにて開始し、第
２の部分２９６の基端側の第１の部分２９４にて終わる。第１の部分２９４は、第１のすくい面２６４の末端とクリアランス面２６８の末端とが合わさる点を意味する。外科用バー２５４を図示しかつ上述したように、側部から見たとき、第１の点２９４の各々は、長手方向軸線２６２の第１の対応する側部上にある。第２の点２９６は、刃部２６６の第１の部分２８４が刃部２６６の第２の部分２９２と合わさる位置を意味する。外科用バー２５４を図示し、かつ上述したように、側部から見たとき、刃部２６６の第２の部分２９２の各々は、長手方向軸線２６２のそれぞれ第１の側部上における第２の点２９６の各１つにて開始し、長手方向軸線２６２を横断して、長手方向軸線２６２のそれぞれの第２の側部まで伸びている。
【００４５】
［００５７]  刃部２６６は、長手方向軸線２６２に対して右側軸方向アスペクトと左
側軸方向アスペクトとの組み合わせを提供する。側部から見たとき（図８に示したように）、刃部２６６は、長手方向軸線２６２に沿ってかつ外科用バー２５４の基端における長手方向軸線２６２の上方から長手方向軸線２６２の下方の位置における第２の点２９６まで伸び、かつ全体として、中心点２８０における長手方向軸線２６２まで戻る。刃部２６６の第１の部分２８４は、左側軸方向アスペクトを提供するものとして図示されている。この理由のため、縦溝２６０の末端部分は、左側部分と称する。刃部２６６の第２の部分２９２は、右側軸方向アスペクトを提供するものとして図示されている。この理由のため、縦溝２６０の基端部分は、右側部分と称する。穿孔及び（または）切断のため、外科用バーの基端から見たとき、長手方向軸線の回りにて時計方向に回転する設計とされた外科用バーに対して左側及び右側軸方向アスペクトが提供される。穿孔及び（または）切断のため、外科用バーの基端から見たとき、長手方向軸線の回りにて反時計方向に回転する設計とされた外科用バーに対して、（ｉ）第１の部分２８４は、図示したものと対向したものとし、かつ右側軸方向アスペクトを提供し、また、（ｉｉ）第２の部分２９２は、図示したものと対向したものとし、かつ左側軸方向アスペクトを提供するものとすることができる。
【００４６】
［００５８]  クリアランス面２６８、２７０の各々は、図示するように、平坦（また
は平面状）とし、又は、湾曲させることができる。遷移端縁３００は、縦溝１８０の各々のクリアランス面２６８、２７０の間を横方向に伸び、かつ第２のすくい面２６５の対応する１つの面から離れるようにすることができる。クリアランス面２６８、２７０は、長手向軸線２６２に対して異なる角度とし、かつ切り離し端縁３００にて互いに接触している。この遷移端縁３００の各々は、対応するクリアランス面２６８、２７０と境を接し、かつこれらのクリアランス面２６８，２７０の間の遷移部を提供する。
【００４７】
［００５９]  縦溝２６０の各々に対して、すくい面２６４、２６５は、切り離されて
おり、その結果、互いに連続的ではない。縦溝２６０の各々のすくい面２６４、２６５は、区別できる平面状面とすることができ、また、互いに平行ではない。すくい面２６４、２６５が切り離されているため、クリアランス面２６８、２７０の各々は、対応する２つのすくい面２６４、２６５の間に配置された切り離し領域３０２を含むことができる。切り離し領域３０２は、第２の点２９６からクリアランス面２７０の末端まで軸方向にかつ（または）、全体として長手方向軸線２６２に沿って伸びている。切り離し領域３０２の末端は、遷移端縁３００と横方向に整合している。第１のすくい面２６４は、第２の点２９６にて第２のすくい面２６５と合わさる。切り離し領域３０２は、第１のすくい面２６４の基端を第２のすくい面２６５の末端から分離する。
【００４８】
［００６０]  第１のすくい面２６４の深さ（すなわち、刃部２６６の第１の部分２８
４の間からクリアランス面２６８までの距離）は、第１のすくい面２６４の末端から対応する点２９６まで増大することができる。第１のすくい面２６４の深さは、点２９６から点２９４まで減少することができる。第２のすくい面２６５の深さ（すなわち、刃部２６６の第２の部分２９２の間からクリアランス面２７０までの距離）は、第２のすくい面２６５の末端及び（または）点２９６から赤道（破線３０４で示した外科用バー２５４の中間線又は平面状部分）及び（または）第２のすくい面２６５の基端まで増大することができる。
【００４９】
［００６１]  赤道３０４は、外科用バー１７４の平面状所部分を意味し、該平面状部
分は、長手方向軸線２６２に対して垂直であり、かつ外科用バー２５４の直径が最大である箇所にあるようにすることができる。赤道３０４は、（ｉ）刃部２６６の第２の部分２９２が長手方向軸線２６２を横断する点３０６の基端側で、かつ（ｉｉ）第１の点２９４の基端側にある。
【００５０】
［００６２］  刃部２６６のすくい面２６４、２６５及びそれぞれの部分２８４、２９２は、部分８５２８４、２９２のすくい角を切り離しかつそれぞれの機能を有している。刃部２６６の第１の部分２８４は、縦溝２６０の末端にあり、穿孔するときの安定性を提供する。すくい面２６４、２６５が切り離されているため、刃部２６６の第２の部分２９２を使用するとき、刃部２６６の第１の部分２８４が側部切断又は研削に与える影響が最小であり、又は何ら有害な影響を与えない。刃部２６６の第２の部分２９２は、本体２５６の側部に沿ってかつ赤道３０４から離れて末端方向にかつ基端方向に伸びている。刃部２６６の第２の部分２９２は、効率的な側部切断又は研削を行う。すくい面２６４、２６５が切り離されているため、刃部２６６の第１の部分２８４を使用するとき、刃部２６６の第２の部分２９２が穿孔に与える影響は最小であり、又は何ら有害な影響を与えない。
【００５１】
［００６３］クリアランス（または末端）面２６８は、対応するみぞ角を有している。みぞ角の各々は、（ｉ）１つの末端面２６８に対して平行に伸びかつ該末端面上にあり、中心点２８０から及び長手方向軸線２６２から離れる線（または、平面）と、（ｉｉ）長手方向軸線２６２に対して垂直に伸びる線（または平面）との間の角度を意味する。
【００５２】
［００６４］  すくい面２６４の各々は、対応する半径方向すくい角３５０を有している。半径方向すくい角３５０は、（ｉ）１つのすくい面２６４に対して平行な線（または平面）３５２と、（ｉｉ）刃部２６６の第２の部分２９２及び長手方向軸線２６２を貫通する線（または平面）３５４との間の角度を意味する。すくい面２６４の半径方向すくい角２５０は、すくい面２６４の左側軸方向アスペクトに対応する長手方向軸線２６２に対して左側へリックスと関係付けることができる。
【００５３】
［００６５］  上記にて開示した実施例は、傷付き易い軟部組織構造体を切り裂くことなく、該軟部組織構造体（例えば、神経、血管、薄膜等）との接触を許容しつつ、骨を効率的に穿孔し、切断し、又は整形する設計とされた外科用バーの形態を含む。この形態は、硬膜がバーの末端部分に露呈される神経学的及び脊柱術に特に適用可能である。
【００５４】
［００６６］  特定の実施例において、外科用バーのすくい角は、所定の範囲内にある
ものとし、かつ用途に基づくものとすることができる。
［００６７］  この開示が完全であり、かつ当業者に対して本発明の範囲を完全に伝えることができるように、一例としての実施例について説明した。本発明の実施の形態を完全に理解し得るように、特定の構成要素、装置及び方法の例のような、多数の特定の詳細を記載した。特定の詳細は、採用する必要はなく、また、当業者には、一例としての実施例は、多数の異なる形態にて具体化することができ、また、本発明の範囲を限定するものと解釈されるべきでないことが当業者には、明らかであろう。一部の実施の形態において、周知の方法、周知の装置構造体、及び周知の技術について、詳細には説明していない。
【００５５】
［００６８]  本明細書にて使用した技術用語は、特定の実施例を説明するためのもの
であり、限定的であることを意図するものではない。文脈上、明確にその他のものを意味することを示さない限り、本発明にて使用した単数の表現は、複数の形態をも含むことを意図するものである。
【００５６】
［００６９］  実施例の上記の説明は、図示しかつ説明の目的のために記載したものであり、本発明を限定し又は制限することを意図するものではない。特定の実施例の個別の要素又は特徴は、全体として、その特定の実施の形態を限定するものではなく、適用可能な場合、互換可能であり、また、特定的に図示し又は説明しない場合でさえ、選んだ実施の形態にて使用することができる。この説明は、多数の態様にて変更可能である。かかる変更は、本発明から逸脱するものとみなすべきではなく、かかるすべての改変例は、本発明の範囲に包含することを意図するものである。
【図１】
2020036968.tif 000003
【図２】
2020036968.tif 000004
【図３】
2020036968.tif 000005
【図４】
2020036968.tif 000006
【図５】
2020036968.tif 000007
【図６】
2020036968.tif 000008
【図７】
2020036968.tif 000009
【図８】
2020036968.tif 000010
【図９】
2020036968.tif 000011
【図１０】
2020036968.tif 000012
【手続補正書】
【提出日】令和1年12月24日(2019.12.24)
【手続補正１】
【補正対象書類名】特許請求の範囲
【補正対象項目名】全文
【補正方法】変更
【補正の内容】
【特許請求の範囲】
【請求項１】
外科用バー（ｓｕｒｇｉｃａｌ  ｂｕｒ）において、
複数の縦溝（１８０、２６０）であって、該複数の縦溝（１８０、２６０）の各々は、複数の刃部（１８６、２６６）と、複数のすくい面（１８４、２６４；１８５、２６５）と、クリアランス面（１８８、１８９；２６８、２７０）とを備え、前記複数の縦溝（１８０、２６０）の１つの複数のすくい面（１８４、２６４；１８５、２６５）は、第１のすくい角を有する第１のすくい面（１８４、２６４）と、第２のすくい角を有する第２のすくい面（１８５、２６５）とを備え、前記第２のすくい角が前記第１のすくい角とは異なり、且つ前記第１のすくい面（１８４、２６４）及び第２のすくい面（１８５、２６５）が互いに切り離され且つ前記クリアランス面（１８８、１８９；２６８、２７０）と切り離される、前記複数の縦溝（１８０、２６０）と、
複数のランド部（１７８、２５８）であって、該複数のランド部（１７８、２５８）の各々は、１対の複数の縦溝（１８０、２６０）の間に配される前記複数のランド部（１７８、２５８）とを備え、
前記縦溝（１８０、２６０）の１つの前記第１のすくい面（１８４、２６４）は負の軸方向すくい角を有し、
前記縦溝（１８０、２６０）の一つの前記第２のすくい面（１８５、２６５）は正の半径方向すくい角を有する、外科用バー。
【請求項２】
請求項１に記載の外科用バーにおいて、
前記複数の縦溝（１８０、２６０）の１つの前記第１のすくい面（１８４、２６４）と前記複数の刃部（１８６、２６６）の１つの第１の対応部分とは、前記外科用バーの長手方向軸線（１８２、２６２）に対して平行又は該長手方向軸線に沿った方向に穿孔する形態とされ、
前記複数の縦溝（１８０、２６０）の１つの前記第２のすくい面（１８５、２６５）と前記複数の刃部（１８６、２６６）の１つの第２の対応部分とは、前記外科用バーの長手方向軸線（１８２、２６２）に対して半径方向又は横方向に切断する形態とされる、外科用バー。
【請求項３】
請求項２に記載の外科用バーにおいて、
前記第１のすくい面（１８４、２６４）又は第２のすくい面（１８５、２６５）は、複数の半径方向すくい角を有する、外科用バー。
【請求項４】
請求項２に記載の外科用バーにおいて、
前記第１のすくい面（１８４、２６４）及び第２のすくい面（１８５、２６５）の各々は、複数の半径方向すくい角を有する、外科用バー。
【請求項５】
請求項２から４の何れか１項に記載の外科用バーにおいて、
前記第１のすくい面（１８４、２６４）又は第２のすくい面（１８５、２６５）は、負の半径方向すくい角、中立の半径方向すくい角及び正の半径方向すくい角の少なくとも一つを含む、外科用バー。
【請求項６】
請求項２から４の何れか１項に記載の外科用バーにおいて、
複数の半径方向すくい角が、前記長手方向軸線（１８２、２６２）と前記第１のすくい面（１８４、２６４）又は第２のすくい面（１８５、２６５）との間に存在し、
前記長手方向軸線（１８２、２６２）、第１のすくい面（１８４、２６４）及び第２のすくい面（１８５、２６５）は、前記複数の半径方向すくい角に対応する関連した点（１９１、１９６）を有する、外科用バー。
【請求項７】
請求項２に記載の外科用バーにおいて、
前記第１のすくい面（１８４、２６４）は、外科用バーの対応する刃部（１８６、２６６）に沿って第１の一定の半径方向すくい角を有し、
前記第２のすくい面（１８５、２６５）は、外科用バーの対応する刃部（１８６、２６６）に沿って第２の一定の半径方向すくい角を有する、外科用バー。
【請求項８】
請求項１から７の何れか１項に記載の外科用バーにおいて、
前記複数のランド部（１７８、２５８）の各々は、凸型の形状である、外科用バー。
【請求項９】
請求項１に記載の外科用バーにおいて、
前記複数の縦溝（１８０、２６０）の１つは、
第１の点（１９１）と、刃部（１８６）の１つの第１の部分（１９０）とを有する第１のすくい面（１８４、２６４）であって、該第１のすくい面（１８４）の深さ寸法は、第１の点（１９１）から前記刃部（１８６）の１つの第１の部分（１９０）の基端における第２の点（１９６）まで増大する前記第１のすくい面（１８４、２６４）と、
長手方向軸線（１８２）に関する第２の頂点（１９６）を有する第２のすくい面（１８５、２６５）であって、該第２のすくい面（１８５）の深さ寸法は、第２の頂点（１９６、２０１）から、（ｉ）外科用バーの赤道（２００）、（ｉｉ）第２のすくい面（１８５）の基端、（ｉｉｉ）外科用バーの基端（３０１）、又は（ｉｖ）複数の縦溝（１８０）の１つの基端（３０１）まで増大する前記第２のすくい面（１８５）とを備える、外科用バー。
【請求項１０】
請求項９に記載の外科用バーにおいて、
前記複数の第１のすくい面（１８４、２６４）の各々の頂点は、同一の点（１９１，２８０）にある、外科用バー。
【請求項１１】
請求項９に記載の外科用バーにおいて、
複数の縦溝（１８０、２６０）の前記１つは、切り離し領域（１９８）を備え、
該切り離し領域（１９８）は、複数の縦溝（１８０、２６０）の１つの複数のすくい面（１８４、２６４；１８５、２６５）の２つの間に配置される、外科用バー。
【請求項１２】
請求項１に記載の外科用バーにおいて、
前記複数の縦溝（１８０、２６０）の各々は、それぞれの切り離し領域（１９８、１９８）を備え、
該切り離し領域（１９８、１９８）の各々は、複数の縦溝（１８０、２６０）の対応する１つの前記複数のすくい面（１８４、２６４；１８５、２６５）の２つの間に配置される、外科用バー。
【請求項１３】
請求項１に記載の外科用バーにおいて、
複数の縦溝（１８０、２６０）の各々の複数のすくい面（１８４、２６４；１８５、２６５）は、第２の点（１９６、２９６）にて合わさる、外科用バー。
【請求項１４】
請求項１に記載の外科用バーにおいて、
前記複数の縦溝（１８０、２６０）の各々の複数のすくい面（１８４、２６４；１８５、２６５）は、
第１のすくい面（１８４、２６４）と、
第２の点（１９６）を有する第２のすくい面（１８５、２６５）と、を備え、
複数の縦溝（１８０、２６０）の各々に対して、第１のすくい面（１８４、２６４）の各々の基端点（１９５）又は端部は、対応する第２のすくい面（１８５、２６５）のそれぞれの第２の点（１９６）にある、外科用バー。
【請求項１５】
請求項１に記載の外科用バーにおいて、
前記複数の縦溝（１８０、２６０）の各々における複数のすくい面（１８４、２６４；１８５、２６５）は、それぞれの平面にあり、かつ外科用バーの長手方向軸線（１８２、２６２）に対して異なる角度にある、外科用バー。・
【請求項１６】
請求項１に記載の外科用バーにおいて、
前記第１のすくい面（１８４、２６４）は、外科用バーの対応する刃部（１８６、２６６）に沿って第１の一定の軸方向すくい角を有し、
前記第２のすくい面（１８５、２６５）は、外科用バーの対応する刃部（１８６、２６６）に沿って第２の一定の軸方向すくい角を有する、外科用バー。
【請求項１７】
請求項１に記載の外科用バーにおいて、
複数の軸方向逃がし面（１９４，２８２）を有する穿孔点（２０４）を更に備え、
前記複数の軸方向逃がし面（１９４，２８２）の各々は、（ｉ）刃部（１８６、２６６）の各１つの末端部分と、（ｉｉ）ランド部（１７８、２５８）の各１つと、（ｉｉｉ）クリアランス面（１８８、１８９：２６８、２７０）の各１つと境を接する、外科用バー。
【請求項１８】
請求項１７に記載の外科用バーにおいて、
前記複数の軸方向逃がし面（１９４，２８２）の各々は、平面状領域を有し、かつ前記ランド部（１７８、２５８）から区別される、外科用バー。
【請求項１９】
外科用バーにおいて、
複数の縦溝（１８０、２６０）であって、該複数の縦溝（１８０、２６０）の各々は、刃部（１８６、２６６）と、複数のすくい面（１８４、２６４；１８５、２６５）と、クリアランス面（１８９，２７０）とを備え、縦溝（１８０、２６０）の１つの複数のすくい面（１８４、２６４；１８５、２６５）は、第１のすくい角を有する第１のすくい面（１８４、２６４）と、第２のすくい角を有する第２のすくい面（１８５、２６５）と、を備え、前記第２のすくい角は、前記第１のすくい角とは異なり、且つ前記第１のすくい面（１８４、２６４）及び前記第２のすくい面（１８５，２６５）は互いに切り離され且つ前記クリアランス面（１８８，１８９；２６８、２７０）と切り離される前記複数の縦溝（１８０、２６０）と、
複数のランド部（１７８、２５８）であって、該複数のランド部（１７８、２５８）の各々は、１対の複数の縦溝（１８０、２６０）の間に配設される前記複数のランド部（１７８、２５８）とを備え、
前記複数の縦溝（１８０、２６０）の１つの前記第１のすくい面（１８４、２６４）は負の半径方向すくい角を有し、
前記複数の縦溝（１８０、２６０）の一つの前記第２のすくい面（１８５、２６５）は正の半径方向すくい角を有する、外科用バー。
【請求項２０】
請求項１９に記載の外科用バーにおいて、
前記縦溝（１８０、２６０）の１つの第１のすくい面（１８４、２６４）及び刃部（１８６、２６６）の１つの第１の部分（１９０，２８４）は、外科用バーの長手方向軸線（１８２、２６２）に対して平行に又は該長手方向軸線（１８２、２６２）に沿った方向に穿孔する形態とされ、
前記縦溝（１８０、２６０）の１つの第２のすくい面（１８５、２６５）及び刃部（１８６、２６６）の１つの第２の部分（１９３、２９２）は、外科用バーの長手方向軸線（１８２、２６２）に対して半径方向又は横方向に切断する形態とされた、外科用バー。
【請求項２１】
請求項１９に記載の外科用バーにおいて、
前記刃部（１８６、２６６）の各々は、
前記第１のすくい面（１８４、２６４）の１つに第１の部分（１９０，２８４）を備え、該第１の部分は、外科用バーを側部から見たとき、外科用バーの長手方向軸線（１８２、２６２）の第１の側部にあり、
前記第２のすくい面（１８５、２６５）の１つに相応し、かつ第１の部分（１９０，２８４）の対応する１つから伸び、また、該第１の部分（１９０，２８４）の基端側にある第２の部分（１９３、２９２）を更に備え、
該第２の部分（１９３、２９２）は、外科用バーを側部から見たとき、長手方向軸線（１８２、２６２）を横断する、外科用バー。
【請求項２２】
請求項１９に記載の外科用バーにおいて、
前記複数の縦溝（１８０、２６０）の前記１つの複数のすくい面（１８４、２６４；１８５、２６５）は、互いに切り離されている、外科用バー。
【請求項２３】
請求項１９に記載の外科用バーにおいて、
第１のすくい面（１８４）は、第１の点（１９１）と、刃部（１８６）の１つの第１の部分（１９０）とを有し、
該第１のすくい面（１８４）の深さ寸法は、該第１の点（１９１）から前記刃部（１８６）の１つの第１の部分（１９０）の基端の第２の点（１９６）まで増大し、
前記第２のすくい面（１８５）は、前記長手方向軸線（１８２）に関連した前記第２の点（１９６、２０１）を有し、
該第２のすくい面（１８５）の深さ寸法は、第２の点から、（ｉ）外科用バーの赤道（２００）、（ｉｉ）第２のすくい面（１８５）の基端（３０１）、（ｉｉｉ）外科用バーの基端（３０１）、又は（ｉｖ）複数の縦溝（１８０、２６０）の１つの基端（３０１）まで増大する、外科用バー。
【請求項２４】
請求項１９に記載の外科用バーにおいて、
前記第１のすくい面（１８４、２６４）の各々の頂点は、同一の点（１９１、２８０）にある、外科用バー。
【請求項２５】
請求項１９に記載の外科用バーにおいて、
前記複数の縦溝（１８０、２６０）の１つは、切り離し領域（１９８）を備え、
該切り離し領域（１９８）は、第１のすくい面（１８４、２６４）と第２のすくい面（１８５、２６５）との間に配置される、外科用バー。
【請求項２６】
請求項１９に記載の外科用バーにおいて、
前記複数の縦溝（１８０、２６０）の各々は、それぞれの切り離し領域（１９８）を備え、
前記切り離し領域（１９８）の各々は、前記複数の縦溝（１８０、２６０）の各１つの複数のすくい面の２つの間に配置される、外科用バー。
【請求項２７】
請求項１９に記載の外科用バーにおいて、
前記複数の縦溝（１８０、２６０）は、それぞれの第１のすくい面（１８４、２６４）と、それぞれの第２のすくい面（１８５、２６５）とを備え、
前記複数の縦溝（１８０、２６０）の各々に対して、第１のすくい面（１８４、２６４）は、それぞれの点（１９６）にて第２のすくい面（１８５、２６５）と合わさり、
第２のすくい面（１８５、２６５）の各々は、それぞれの頂点（１９６）を備え、
前記複数の縦溝（１８０、２６０）の各々に対して、第１のすくい面（１８４、２６４）の各々の基端点又は基端（１９６）は、対応する第２のすくい面（１８５、２６５）のそれぞれの頂点（１９６）にある、外科用バー。
【請求項２８】
請求項１９に記載の外科用バーにおいて、
複数の軸方向逃がし面（１９４，２８２）を有する穿孔点（２０４）を更に備え、
前記複数の軸方向逃がし面（１９４，２８２）の各々は、（ｉ）刃部（１８６、２６６）の各１つの末端部分と、（ｉｉ）ランド部（１７８、２５８）の各１つと、（ｉｉｉ）クリアランス面（１８８、１８９；２６８、２７０）の各１つと境を接する、外科用バー。
【手続補正２】
【補正対象書類名】明細書
【補正対象項目名】全文
【補正方法】変更
【補正の内容】
【発明の詳細な説明】
【技術分野】
【０００１】
［０００１］本出願は、２０１４年４月１６日に出願された米国仮特許出願第６１／９８０，１０２号及び２０１５年３月２０日に出願された米国実用新案登録出願第１４／６６４，２５８号の利益を主張するものである。上記の出願の開示内容は、参考として引用し、本明細書に含めてある。
【０００２】
［０００２］    本発明は、骨を切断し又は且つ整形する外科用システム、より特定には、外科用バー（ｓｕｒｇｉｃａｌ    ｂｕｒ）に関する。
【背景技術】
【０００３】
［０００３］    この文節は、必ずしも先行技術とはならない、本発明に関係した背景情報を提供する。
［０００４］    外科用バーは、外科的術を行う間、骨を効率的に切開し、切断し且つ（または）整形するための鋭利でかつ耐久性のある刃部を必要とする。人間の解剖学的組織は、神経及び血管のような傷つき易い柔部組織構造体を保護するため骨の近くに位置するのが一般的である。これらの構造体は、硬膜を含む。硬膜は、患者の脳及び脊柱を取り囲む保護のための軟部組織の最外側層を意味する。脳及びの脊柱の術を行う間、バーの末端が硬膜と接触する可能性がある。「末端」という語は、回転するバーを有する外科用ツールを保持する医療従事者から最も遠方の箇所を意味する。「基端」という語は、医療従事者に向かい、かつ患者から離れる箇所を意味する。
【発明の概要】
【発明が解決しようとする課題】
【０００４】
［０００５］    外科用バーは、軸方向に穿孔するとき、安定性を持たせると共に、半径方向に動かす間、効率的に切断し得ることが望ましい。軸方向とは、例えば、外科用バーの長手方向軸線に対して平行な方向、その軸線に沿った方向、及び（または）該軸線と直線状の方向とすることができる。半径方向とは、例えば、外科用バーの長手方向軸線から離れかつその軸線に対して平行でない方向とすることができる。半径方向とは、該長手方向軸線から離れかつ（または）その軸線に対して垂直な方向とすることができる。
【課題を解決するための手段】
【０００５】
［０００６］    この文節は、本発明の全体的な概要を記述するものであり、その特徴の範囲の全部又はその全てを包括的に開示するものではない。
［０００７］    縦溝と、ランド部とを含む、外科用バーが提供される。縦溝の各々は、刃部、すくい面、及びクリアランス面を含む。１つの縦溝のすくい面は、互いに切り離されている。縦溝の各々のすくい面は、互いに切り離すことができる。ランド部の各々は、１対の縦溝の間に配設されている。なお、本明細書中で使用する用語の「二つの面が切り離される（ｄｅｃｏｕｐｌｅ）」とは、二つの面が所定の領域を介在してあたかも互いに切り離されるように隔てられることを意味する。
【０００６】
［０００８］    その他の特徴において、縦溝と、ランド部とを含む、外科用バーが提供される。縦溝の各々は、刃部、すくい面、及びクリアランス面を含む。１つの縦溝のすくい面は、（ｉ）第１のすくい角を有する第１のすくい面と、（ｉｉ）第２のすくい角を有する第２のすくい面と、を含む。縦溝の各々は、それぞれのすくい角を有する多数のすくい面を有することができる。第２のすくい角は、第１のすくい角から切り離されている。ランド部の各々は、１対の縦溝の間に配設されている。
【０００７】
［０００９］    更なる適用分野は、本明細書の記載から明らかになるであろう。本概要の記載及び既定の特定の例は、説明のみを目的とするものであり、本発明の範囲を限定することを意図するものではない。
【図面の簡単な説明】
【０００８】
［００１０］    本明細書にて説明する図面は、選んだ実施の形態の単に説明の目的のためであり、可能な全ての実施例を示すものではなく、また、本発明の範囲を限定することを意図するものではない。
【図１】切開用ツールの側面図である。
【図２】図１の切開用ツールの斜視図である。
【図３】バーを組み込み、また、本発明の１つの実施の形態に従って患者にて使用される外科用切開カッター組立体の斜視図である。
【図４】図３の外科用切開カッター組立体の斜視図である。
【図５】すくい角及び逃がし角を示す、外科用バーの一部分の斜視図である。
【図６】本発明の１つの実施の形態に従った外科用バーを含む、切開用ツールの側面図である。
【図７】図６の切開ツールの斜視図である。
【図８】本発明の１つの実施の形態に従い、かつ外科用バーの縦溝のクリアランス面に対向した、別の外科用バー含む、別の切開用ツールの側面図である。
【図９】図８に示した位置から時計方向に９０°回転させ、かつ外科用バーの特定のすくい面に対向した、図８の外科用バーの別の側面図である。
【図１０】図８の切開用ツールの外科用バーの末端図である。
【０００９】
［００２１］    対応する参照番号は、幾つかの図面の全体を通じて対応する部品を示す。
【発明を実施するための形態】
【００１０】
［００２２］    図１及び図２には、外科用バー５４を含む、合法的に販売された（ｐｒｅｄｉｃａｔｅ）切開用ツールの側面図及び斜視図が示されている。該外科用バー５４は、３つの凸型ランド部５５と、３つの縦溝５６とを含む。縦溝５６の各々は、ランド部５５の間に配置されており、また、対応する削り空間５７を有している。該ランド部５５は、外科用バー５４の長手方向軸線５８の回りにて等しく隔てられている。該ランド部５５の末端部分６２は、凸型の形状をした、軸方向逃がし面と称する。該軸方向逃がし面６２は、ランド部５５から区別できず、それは、ラント部５５及び軸方向逃がし面６２は、共に、凸型の形状であり、（または、同一型式の表面を有する）、また、軸方向逃がし面６２は、軸方向逃がし面６２とランド部５５との間に遷移面又は境界を有さずに、ランド部５５と連続しているからである。
【００１１】
［００２３］    縦溝５６は、また、長手方向軸線５８の回りにて等しく隔てられている。縦溝５６の各々は、刃部６６を有する単一のすくい面６４と、クリアランス面６８とを備えている。クリアランス面６８の各々は、末端部分（または表面）と、基端部分（または表面）とを含む。クリアランス面６８の末端部分は、参照番号７０にて識別されている。クリアランス面６８の基端部分は、参照番号７２にて識別されている。
【００１２】
［００２４］    外科用バー５４の効率及び安定性は、縦溝の各々にて見られる単一のすくい面６４により制約される。該すくい面６４を配置することは、縦溝及び対応する刃部６６の全体性に影響を及ぼす。上述したように、すくい面６４は、長手方向軸線５８に対して平行であり、また、中心点６０（外科用バー５４の末端から見たように、長手方向軸線の左側でかつ該長手方向軸線と整合していない）を通る。その結果、外科用バー５４は、中立の軸方向すくい角と、正の半径方向すくい角とを有している。
【００１３】
［００２５］    外科用バーは、（ｉ）正又は負の軸方向すくい角と、（ｉｉ）刃部に沿った位置に対して対応する縦溝の刃部に沿って変化する半径方向すくい角とを有するすくい面を備えることができる。すくい面の半径方向すくい角は、該すくい面が対応する外科用バーの長手方向軸線を貫通する平面を横断する点にて中立（すなわち、０°）とすることができる。各々が、多数の軸方向すくい角及び半径方向すくい角を含む縦溝を有する外科用バーの例について、以下に説明する。
【００１４】
［００２６］    以下の説明は、回転型外科用バー（以下、外科用バーと称する）を開示するものである。該外科用バーは、縦溝毎に切り離したすくい面（すくい面と称する）と、対応する軸方向すくい角及び半径方向すくい角とを含む。負の軸方向すくい角は、外科用バーの穿孔時の安定性を向上させることができる。正の半径方向すくい角は、外科用バーの切断効率を向上させることができる。
【００１５】
［００２７］    次に、添付図面を参照して、一例としての実施の形態に関してより詳細に説明する。以下の説明は、性質上、単に一例であり、本発明、適用例又は用途を限定することを意図するものではない。図面の全体を通じて、対応する参照番号は、同様の又は対応する部品及び特徴を示すものであることを理解すべきである。
【００１６】
［００２８］    図３には、患者１０２にて使用されている回転型外科用バーを組み込んだ外科用切開カッター組立体１００が示されている。患者は、神経の手術を受けている。脳又はその他の神経学的構造体にアクセスするためには、骨及びその他の組織の慎重な切開を必要とすることが多い。図３は、例示の目的のためにのみ掲げたものであり、本明細書にて開示した外科用バーは、種々のツール及び（または）その他のカッター組立体にて使用することができ、また、その他の術及び（または）手術のために使用することができる。該切開カッター組立体１００は、切開用ツールのドライバ１０４を含み、該ドライバは、外科的アクセス箇所１０６にて患者１０２の骨の一部分及び隣接する組織を切開するために利用されている。
【００１７】
［００２９］    図４は、外科用切開カッター組立体１００の斜視図である。該切開用ツールのドライバ１０４は、ホース又はケーブル組立体１１０と接続されたモータハウジング組立体１０８を含む。該ホース組立体１１０は、外部電力及びモータハウジング１０８の制御機能を提供する。切開用ツールのドライバ１０４は、切開用ツール１１８と接続される取り付けハウジング１１２を更に含む。切開用ツール１１８の末端は、外科用バー１２０を含む。切開用ツール１１８に代えて使用することのできる切開用ツールの例は、図６から図１０に示されており、かつこれらの図面に関して以下に説明する。
【００１８】
［００３０］    図５は、外科用バーの一部分１３０の斜視図である。該部分１３０は、刃部１３４を有するすくい面１３２と、逃がし面１３６とを含む。刃部１３４は、外科用バーの末端にあり、かつ逃がし面１３６に隣接するものとすることができる。図５は、一例として示したものであり、（ｉ）第１のすくい面の刃部の軸方向すくい角、及び軸方向逃がし面、又は（ｉｉ）第２のすくい面の刃部の半径方向すくい角及び半径方向逃がし面を説明するために使用することができる。第１のすくい面は、第２のすくい面と同一又は異なるものとすることができる。外科用バーが軸方向穿孔又は半径方向側部切断のために使用されるかどうかに依存して、外科用バーは、切断面に対して異なる方向に向けることができる。第１の方向は、軸方向穿孔のため使用し、また、第２の方向は、半径方向側部切断のため使用することができる。
【００１９】
［００３１］    第１の方向、軸方向すくい角、及び軸方向逃がし面を説明するため図５が使用されるならば、すくい角１３８（第１の方向に対する軸方向すくい角と称することができる）は、（ｉ）すくい面１３２における線１６、（または平面）１４０と、刃部１３４に対して垂直な平面と、（ｉｉ）外科用バーが切り込み、かつ線１４２に対して垂直な切断及び（または）線（水平面）１４６の方向に伸びる骨１４５の面１４４に対して垂直に伸びる線（水平面）１４２との間にあるものとすることができる。逃がし角１４８（第１の方向に対して軸方向に逃がし角と称することができる）は、逃がし面１３６（または、第１の方向に対して軸方向逃がし面１３６）における線（平面）１５０及び刃部１３４に対して垂直な平面と、（ｉｉ）線１４６との間にあるものとすることができる。刃部１３４は、第２の方向に対して線１４２に対して垂直な平面上にあるものとすることができる。外科用バーの回転可能な軸線は、第１の方向について線１４２に対して平行である。
【００２０】
［００３２］    第２の方向、半径方向すくい角及び半径方向逃がし面を示すために図５が使用されるならば、線１４２は、外科用バーの長手方向軸線に対して垂直となるものとすることができる。刃部１３４は、長手方向軸線を貫通する平面内にあるものとすることができる。第２の方向に対して、刃部１３４は、上記にて第１の方向について言及した刃部と同一の又は異なる刃部とすることができる。逃がし面１３６は、第２の方向に対して半径逃がし面と称することができる。すくい角１３８は、第２の方向に対する半径方向すくい角と称することができる。逃がし角１４８は、第２の方向に対して軸方向逃がし角と称することができる。
【００２１】
［００３３］    以下の外科用バーは、特定の数の縦溝、縦溝当たりのすくい面、縦溝当たりのすくい角、縦溝当たりのクリアランス面、ランド部、軸方向逃がし面、クリアランス面等を有するものとして図示されているが、該外科用バーは、これらの要素の各々について、その他の数を有するものとしてもよい。
【００２２】
［００３４］    図６−７には、切開用ツール１７０の側面図及び斜視図が示されている。該切開用ツール１７０は、図３の組立体１００の一部として使用し、かつ図４の切開用ツールに置換することができる。該切開用ツール１７０は、シャフト１７２と、外科用バー１７４とを含む。該外科用バー１７４は、「マッチの頭」の設計であり、かつ本体１７６を含む。該外科用バー１７４は、「神経」又は「マッチ棒」バーと称することもできる。本体１７６は、２つの凸型ランド部１７８と、２つの縦溝１８０とを有している。縦溝１８０の各々は、ランド部１７８の間に配置されており、また、対応する削り空間１８１を有している。ランド部１７８は、凸型の形状及び（または）丸形の形状とし、また、切開用ツール１７０、シャフト１７２及び（または）外科用バー１７４の長手方向軸線の回りにてそれぞれ１８０°の位置にあるようにすることができる。該外科用バーは、長手方向軸線１８２の回りにて回転させる。縦溝１８０は、長手方向軸線１８２の回りにてそれぞれ１８０°の位置にあるようにしてもよい。縦溝１８０の各々は、刃部１８６を有する二つ又は複数のすくい面（縦溝１８０当たり２つのすくい面１８４、１８５図示されている）と、末端部分（または末端クリアランス面）１８８及び基端部分（又は基端クリアランス面）１８９と有する対応するクリアランス面１８７とを備えている。末端クリアランス面１８８は、縦溝１８０の末端部分上にある。基端クリアランス面１８９は、縦溝１８０の基端部分上にある。
【００２３】
［００３５］    図示した例において、刃部１８６の第１の部分１９０は、長手方向軸線１８２から半径方向に離れ、かつ刃部１８６の第２の部分１９３に向けて、外科用バー１７４の末端にて中心点１９１又はブリッジ１９２から伸びている。該ブリッジ１９２は、中心点１９１の上方を伸び、かつランド部１７８の各１つにて軸方向逃がし面１９４と接続する。
【００２４】
［００３６］    刃部１８６の第２の部分１９３は、長手方向軸線１８２に沿って、刃部１８６の第１の部分１９０の基端から軸方向に伸びている。刃部１８６の第１の部分１９０は、負の軸方向すくい角を有している。左側（または負の）軸方向角度αが示されており、この角度は、負の軸方向すくい角を作り出す。一例として、負の軸方向は、−５°又はその他の適当な負の軸方向すくい角αとすることができる。刃部１８６の第２の部分１９３は、点２０１から基端側の正の半径方向すくい角βを有している。一例としての右側（または正の）軸方向角度βが図示されており、この角度βは、点２０１の位置に対して明確化したとき、半径方向すくい角を作り出す。一例として、右側軸方向角度は、５°又はその他の適当な軸方向角度とすることができる。一例として、半径方向すくい角は、点１９６における−５°から第２の部分１９３の基端における５°まで変化させることができる。
【００２５】
［００３７］    軸方向すくい角αは、末端方向に穿孔するとき、切断性能に影響を与える。刃部１８６の第１の部分１９０は、主として、末端方向に穿孔するとき、使用される。末端方向に穿孔するとき、問題となる軸方向すくい角は、長手方向軸線１８２に対して垂直な平面と、図６に示したように、外科用バーの側部から見たとき、末端すくい面１８４上の平面との間にて測定する。半径方向すくい角は、横方向への切断性能に影響を与える。部分１９０の一部分及び（または）刃部１８６の第２の部分１９３の一部分は、横方向に切断するとき、使用することができる。横方向とは、長手方向軸線１８２から離れる方向を意味する。横方向は、必ずしも、長手方向軸線に対して垂直な方向でなくともよい。半径方向すくい角βは、長手方向軸線１８２と、刃部１８６のそれぞれの部分１９０、１９３との間にて測定する。半径方向すくい角βは、外科用バー１７４のそれぞれの側部から且つ長手方向軸線１８２に対して垂直で、刃部１８６の一点を貫通する方向に向けて測定することができる。半径方向すくい角βは、外科用バー１７４の末端から及び（または）外科用バーの横方向横断平面から測定してもよい。外科用バー１７４の横方向横断平面は、長手方向軸線１８２及び刃部１８６に沿った点にある。外科用バーの末端から測定した半径方向すくい角βの一例が図１０に示されている。
【００２６】
［００３８］    刃部１８６上の一点における半径方向すくい角βは、その点が図６に示したように、長手方向軸線１８２の前方に（または右側）にあるとき、負であると説明することができる。半径方向すくい角βは、第２の部分１９３が長手方向軸線１８２を横断する点２０１にて中立である。刃部１８６上の一点における半径方向すくい角βは、その点が図６に示したように、長手方向軸線１８２の後方（または左側）にあるとき、正であると説明することができる。刃部１８６の第１の部分１９０及び第２の部分１９３は、各々、それぞれの平面内にある。
【００２７】
［００３９］    縦溝１８０のすくい面１８４、１８５の軸方向すくい角α及び半径方向すくい角βは、切り離されている。その理由は、縦溝１８０の各々のすくい面１８４、１８５の軸方向すくい角は、相違し、かつ異なる頂点を有するからであること、及び（または）縦溝１８０の各々のすくい面１８４、１８５の半径方向すくい角は、相違し、かつ異なる頂点を有するからである。縦溝１８０の各々のすくい面１８４、１８５の半径方向すくい角は、対応する刃部に沿って一定でなくともよい。１つの実施例において、すくい面１８４，１８５の各々は、１つ又はより多数の（又は一組の）半径方向すくい角を有することができる。一例として、刃部１８６の第２の部分１９３に相応し、かつ外科用バー１７４の基端と第２の点１９６との間に配置された基端側すくい面１８５は、点２０1の末端側の負の半径方向すくい角、点２０１における中立の半径方向すくい角及び点２０１の基端側の正の半径方向すくい角の少なくとも一つを含む、多数の半径方向すくい角を有している。
【００２８】
［００４０］    刃部１８６の第１の部分１９０は、中心点１９１付近にて開始し、第１の点１９５の先端である第２の点１９６にて終わる。第１の点１９５は、切り離し領域１９８の基端と遷移端縁１９７とが合わさる箇所を意味する。図示しかつ上述したように、外科用バー１７４を側部から見たとき、第１の点１９５の各々は、長手方向軸線１８２の第１の対応する側部上にある。第２の点１９６は、刃部１８６の第１の部分１９０が刃部１８６の第２の部分１９３に合わさる位置を意味する。図示しかつ上述したように、外科用バー１７４を側部から見たとき、刃部１８６の第２の部分１９３の各々は、長手方向軸線１８２のそれぞれ第１の側部における第２の点１９６の各１つにて開始し、長手方向軸線１８２を横断して長手方向軸線１８２上のそれぞれ第２の側部まで伸びている。
【００２９】
［００４１］    刃部１８６は、長手方向軸線１８２に対して右側軸方向アスペクトと左側軸方向アスペクトとの組み合わせを提供する。刃部１８６の第１の部分１９０は、左側軸方向アスペクトを提供するものとして図示されている。この理由のため、縦溝１８０の末端部分は、左側部分と称する。刃部１８６の第２の部分１９３は、右側軸方向アスペクトを提供するものとして図示されている。この理由のため、縦溝１８０の基端部分は、右側部分と称する。左側及び右側軸方向アスペクトは、外科用バーの基端から見たとき、穿孔及び（または）切断のため、長手方向軸線の回りにて時計方向に回転し得る設計とされた、外科用バーに対して提供される。外科用バーの基端から見たとき、穿孔及び（または）切断のため、長手方向軸線の回りにて反時計方向に回転し得る設計とされた外科用バーの場合、（ｉ）第１の部分１９０は、図示したものと反対のものとし、また、（ｉｉ）第２の部分１９３は、図示したものと反対のものとし、左側軸方向アスペクトを提供するものとするものとすることができる。
【００３０】
［００４２］    クリアランス面１８８、１８９の各々は、図示するように平坦（又は平面状）とし、または湾曲させることができる。遷移端縁１９７は、縦溝１８０の各々のクリアランス面１８８、１８９の間にて横方向に伸びて、第２のすくい面１８５の対応する１つから離れることができる。クリアランス面１８８、１８９は、長手方向軸線１８２に対して異なる角度であり、また、遷移端縁１９７にて互いに接触している。遷移端縁１９７の各々は、隣接し、かつ対応するクリアランス面１８８、１８９の間の遷移部を提供する。
【００３１】
［００４３］    縦溝１８０の各々に対して、すくい面１８４、１８５は、切り離されており、その結果、互いに連続していない。縦溝１８０の各々のすくい面１８４、１８５は、区別できる平面状面として、かつ互いに平行でないにようにしてもよい。すくい面１８４、１８５が切り離されているため、基端クリアランス面１８９の各々は、対応する２つのすくい面１８４、１８５の間に配置された切り離し領域１９８を含む。該切り離し領域１９８は、軸方向に、かつ（または）全体して長手方向軸線１８２に沿って第２の点１９６から基端クリアランス面１８９の末端まで伸びている。該切り離し領域１９８の基端は、横方向に、遷移端縁１９７と整合している。切り離し領域１９８は、その基端にて第２のすくい面１８５と合わさる。該切り離し領域１９８は、第１のすくい面１８４の基端を第２のすくい面１８５の末端から分離させる。
【００３２】
［００４４］    第１のすくい面１８４の深さ（すなわち、刃部の第１の部分１９０の間にて末端クリアランス面１８８までの距離）は、第１のすくい面１８４の末端１９１から対応する第２の点１９６まで増大することができる。第１のすくい面１８４の深さは、第２の点１９６から第１の点１９５まで減少することができる。第２のすくい面１８５の深さ（すなわち、刃部の第２の部分１９３間にて基端クリアランス面１８９までの距離）は、第２のすくい面１８５の末端及び（または）第２の点１９６から赤道（破線２００で示した外科用バー１７４の平面）及び（または）第２のすくい面１８５の基端まで増大することができる。
【００３３】
［００４５］    赤道２００は、長手方向軸線１８２に対して垂直であり、かつ外科用バー１７４の直径が最大となる箇所となるようにすることができる、外科用バー１７４の平面状部分を意味する。図示した例におけるように、外科用バーが該外科用バーの伸長した部分に対して一定の直径を有する場合、赤道は、最大の直径を有する、外科用バーの最末端部分にあるようにすることができる。赤道２００は、（ｉ）刃部１８６の第２の部分１９３が長手方向軸線１８２を横断する点２０１の末端側とし、また、（ｉｉ）第１の点１９５の基端側とすることができる。
【００３４】
［００４６］    刃部１８６のすくい面１８４、１８５及びそれぞれの部分１９０、１９３は、部分１９０、１９３のすくい角を切り離し、また、それぞれの機能を有する。刃部１８６の第１の部分１９０は、縦溝１８０の末端にあり、穿孔するときの安定性を提供する。すくい面１８４、１８５が切り離されているため、刃部１８６の第２の部分１９３を使用するとき、刃部１８６の第１の部分１９０は、側部切断または研削に与える影響が最小であり、又は、何らの悪影響も与えない。刃部１８６の第２の部分１９３は、本体１７６の側部に沿ってかつ赤道２００から離れて末端方向にかつ基端方向に伸びている。刃部１８６の第２の部分１９３は、効率的な側部切断又は研削作用を提供する。すくい面１８４、１８５が切り離されているため、刃部１８６の第１の部分１９０を使用するとき、刃部１８６の第２の部分１９３が穿孔に与える影響は最小であり、又は何らの悪影響も与えない。
【００３５】
［００４７］    外科用バー１７４は、該外科用バー１７４の末端に穿孔点２０４を含む。該穿孔点２０４は、中心点１９１と、軸方向逃がし面１９４とを含むことができる。長手方向軸線１８２は中心点１９１を貫通する。軸方向逃がし面１９４は、縦溝１８０の末端にあり、かつランド部１７８と連続するか又は図示したように、ランド部１７８から分離するようにしてもよい。軸方向逃がし面１９４は、図示したように、ランド部１７８から分離している。その理由は、軸方向逃がし面１９４は、ランド部と異なる型式の面である（例えば、ランド部１７８は、凸型とし、軸方向逃がし面１９４は、平面状の形状であるようにすることができる）からであり、また、軸方向逃がし面１９４とランド部１７８との間にて遷移面又は端縁（境界と称する）があるからである。別の実施の形態において、軸方向逃がし面１９４は、凸型の形状とし、かつ（または）ランド部１７８に対する非遷移面（または連続面）を提供するようにしてもよい。
【００３６】
［００４８］    軸方向逃がし面１９４の各々と境を接するのは、（ｉ）刃部１８６の１つの第１の部分１９０の１つと、（ｉｉ）ランド部１７８の１つの末端部分２０２と、（ｉｉｉ）クリアランス面１８８の１つである。軸方向逃がし面１９４は、図示するように、平坦面とし又は（平面状）面とすることができる。軸方向逃がし面１９４の各々は、２つの名目的な直線状端縁（クリアランス面１８８の第１の部分１９０及び末端端縁）を有し、これらの部分は、それぞれの円形の端縁により接続されている（湾曲した端縁の１つは、参照番号２０６で識別されている）。軸方向逃がし面１９４の湾曲した端縁２０６は、それぞれのランド部１７８と境を接している。
【００３７】
［００４９］    末端クリアランス（または末端）面１８８は、対応するみぞ角（ｇａｓｈ    ａｎｇｌｅ）を有している。みぞ角の各々は、（ｉ）１つの末端面１８８に対して平行に、かつ該末端面上にて中心点１９１及び（または）長手方向軸線１８２から離れるように伸びる線（または平面）と、（ｉｉ）長手方向軸線１８２に対して垂直に伸びる線（または平面）との間の角度を意味する。
【００３８】
［００５０］    図８−図１０には、切開用ツール２５０の側面図及び斜視図が示されている。図８には、図１０にて見たとき、左側から得た切開用ツール２５０の横側面図が示されている。図９には、図１０にて見たとき、切開用ツールの上方から得た切開用ツール２５０の横側面図（または頂面図）が示されている。切開用ツール２５０は、図３の組立体１００の一部として使用することができ、また、図４の切開用ツール１０８に置換することができる。切開用ツール２５０は、シャフト２５２と、球形の形状をした、外科用バー２５４とを含む。該外科用バー２５４は、本体２５６を含む。該本体２５６は、３つの凸型形状のランド部２５８と、３つの縦溝２６０とを有している。縦溝２６０の各々は、１対のランド部２５８の間に配置され、また、対応する削り空間２６１を有している。ランド部２５８は、凸型の形状であり且つ（または）丸形の形状であり、また、切開用ツール２５０、シャフト２５２及び（または）外科用バー２５４の長手方向軸線２６２の回りにてそれぞれ１２０°の位置にあるようにしてもよい。外科用バーは、長手方向軸線２６２の回りにて回転させる。縦溝２６０は、長手方向軸線２６２の回りにてそれぞれ１２０°の位置にあるようにしてもよい。縦溝２６０の各々は、刃部２６６を有する末端及び基端のすくい面（または、表面）２６４、２６５と、クリアランス面２６７とを備えている。クリアランス面２６７は、末端部分（または、末端クリアランス面）２６８と、基端部分（または基端側コリアランス面）２６９とを含む。該クリアランス面２６８は、縦溝２６０の末端部分上にある。クリアランス面２６９は、縦溝２６０の基端部分上にある。
【００３９】
［００５１］    外科用バー２５４は、該外科用バー２５４の末端２７４に穿孔点２７４を含む。該穿孔点２７４は、中心点２８０と、３つの軸方向逃がし面２８２とを含むことができる。長手方向軸線２６２は、中心点２８０を貫通する。軸方向逃がし面２８２は、縦溝２６０の端部にあり、また、ランド部２５８から区別できるものとすることができる。軸方向逃がし面２８２は、ランド部２５８から区別できるものとすることができる。その理由は、軸方向逃がし面２８２は、ランド部の表面と異なる型式である（例えば、ランド部２５８は、凸型の形状とし、また、軸方向逃がし面２８２は平面状の形状としてもよい）からであり、また、軸方向逃がし面２８２とランド部２５８との間に遷移面（または境界）があるからである。別の実施の形態において、軸方向逃がし面２８２は、凸型の形状とし、かつ（または）ランド部２５８に対して遷移面（または連続面）を提供するようにしてもよい。
【００４０】
［００５２］    逃がし面２８２の各々の境を接するのは、（ｉ）刃部２６６の１つのそれぞれの末端（又は第１の）部分２８４と、（ｉｉ）ランド部２５８の１つの末端部分２８６と、（ｉｉｉ）末端クリアランス面２６８の１つの末端とである。軸方向逃がし面２８２は、図示するように、平坦面（平面状面）とすることができる。軸方向逃がし面２８２の各々は、２つの名目的に直線状端縁（名目的な直線状端縁の二つは、参照番号２８８で識別されている）と、湾曲した端縁（湾曲した端縁の１つは、参照番号２９０で識別されている）とを有する三角形の形状をしている。軸方向逃がし面２８２の湾曲した端縁２９０は、それぞれのランド部２５８と境を接している。
【００４１】
［００５３］    図示した例において、刃部２６６の第１の部分２８４は、外科用バー２５４の末端における中心点２８０から、長手方向軸線２６２から半径方向に伸びて、刃部２６６の第２の部分２９２に向かう。刃部２６６の第２の部分２９２は、第１の部分の基端からかつ長手方向軸線２６２に沿って軸方向に伸びている。刃部２６６の第１の部分２８４は、負の軸方向すくい角を有する。一例としての左側軸方向角が図示されており、かつ負の軸方向すくい角を作り出す。一例として、負の軸方向すくい角は、−５°又はその他の適当な負の軸方向すくい角とすることができる。刃部２６６の第２の部分２９２は、第３の点３０６から基端側にて正の半径方向すくい角を有している。一例としての軸方向角度が示されており、かつ第３の点３０６の位置に対して明確化したとき、半径方向すくい角を作り出す。一例して、右側軸方向角度は、５°又はその他の適当な軸方向角度とすることができる。一例として、半径方向すくい角は、第２の点２９６の近くの−２°から第２の部分２９２の基端における５°まで変化させることができる。
【００４２】
［００５４］    軸方向すくい角は、長手方向軸線２６２対して垂直な平面と、末端側すくい面における平面との間にて測定する。半径方向すくい角は、刃部２６６の長手方向軸線２６２と、それぞれの刃の第１及び第２の部分２８４、２９２との間にて測定する。これらの測定値は、外科用バー２５４のそれぞれの側部からかつ長手方向軸線２６２に対して垂直な方向に向けて、また、刃部２６６における一点を貫通する方向に得たものである。刃部２６６の第１の部分２８４及び第２の部分２９２は、各々、それぞれの平面内にあるものとすることができる。
【００４３】
［００５５］    縦溝２６０の各々のすくい角は、切り離されており、その理由は、すくい角は異なり、かつ異なる頂点を有し、また、異なるすくい面かと関係付けられているからである。軸方向すくい角の頂点は、同一の点（例えば、中心点２８０）にあるようにしてもよい。複数の半径方向すくい角の頂点は、異なり、また、刃部２６６の第２の部分２９２が長手方向軸線２６２を横断する点（例えば、第３の点３０６）を意味する。
【００４４】
［００５６］    刃部２６６の第１の部分２８４は、中心点２８０の近くにて開始し、第２の点２９６の基端側の第１の部分２９４にて終わる。第１の点２９４は、第１のすくい面２６４の末端とクリアランス面２６８の末端とが合わさる点を意味する。外科用バー２５４を図示しかつ上述したように、側部から見たとき、第１の点２９４の各々は、長手方向軸線２６２の第１の対応する側部上にある。第２の点２９６は、刃部２６６の第１の部分２８４が刃部２６６の第２の部分２９２と合わさる位置を意味する。外科用バー２５４を図示し、かつ上述したように、側部から見たとき、刃部２６６の第２の部分２９２の各々は、長手方向軸線２６２のそれぞれ第１の側部上における第２の点２９６の各１つにて開始し、長手方向軸線２６２を横断して、長手方向軸線２６２のそれぞれの第２の側部まで伸びている。
【００４５】
［００５７］    刃部２６６は、長手方向軸線２６２に対して右側軸方向アスペクトと左側軸方向アスペクトとの組み合わせを提供する。側部から見たとき（図８に示したように）、刃部２６６は、長手方向軸線２６２に沿ってかつ外科用バー２５４の基端における長手方向軸線２６２の上方から長手方向軸線２６２の下方の位置における第２の点２９６まで伸び、かつ全体として、中心点２８０における長手方向軸線２６２まで戻る。刃部２６６の第１の部分２８４は、左側軸方向アスペクトを提供するものとして図示されている。この理由のため、縦溝２６０の末端部分は、左側部分と称する。刃部２６６の第２の部分２９２は、右側軸方向アスペクトを提供するものとして図示されている。この理由のため、縦溝２６０の基端部分は、右側部分と称する。穿孔及び（または）切断のため、外科用バーの基端から見たとき、長手方向軸線の回りにて時計方向に回転する設計とされた外科用バーに対して左側及び右側軸方向アスペクトが提供される。穿孔及び（または）切断のため、外科用バーの基端から見たとき、長手方向軸線の回りにて反時計方向に回転する設計とされた外科用バーに対して、（ｉ）第１の部分２８４は、図示したものと対向したものとし、かつ右側軸方向アスペクトを提供し、また、（ｉｉ）第２の部分２９２は、図示したものと対向したものとし、かつ左側軸方向アスペクトを提供するものとすることができる。
【００４６】
［００５８］    クリアランス面２６８、２６９の各々は、図示するように、平坦（または平面状）とし、又は、湾曲させることができる。遷移端縁３００は、縦溝１８０の各々のクリアランス面２６８、２６９の間を横方向に伸び、かつ第２の基端すくい面２６５の対応する１つの面から離れるようにすることができる。クリアランス面２６８、２６９は、長手向軸線２６２に対して異なる角度とし、かつ切り離し端縁３００にて互いに接触している。この遷移端縁３００の各々は、対応するクリアランス面２６８、２６９と境を接し、かつこれらのクリアランス面２６８，２７０の間の遷移部を提供する。
【００４７】
［００５９］    縦溝２６０の各々に対して、すくい面２６４、２６５は、切り離されており、その結果、互いに連続的ではない。縦溝２６０の各々のすくい面２６４、２６５は、区別できる平面状面とすることができ、また、互いに平行ではない。すくい面２６４、２６５が切り離されているため、クリアランス面２６８、２６９の各々は、対応する２つのすくい面２６４、２６５の間に配置された切り離し領域１９８を含むことができる。切り離し領域１９８は、第２の点２９６からクリアランス面２６９の末端まで軸方向にかつ（または）、全体として長手方向軸線２６２に沿って伸びている。切り離し領域１９８の末端は、遷移端縁３００と横方向に整合している。第１のすくい面２６４は、第２の点２９６にて第２のすくい面２６５と合わさる。切り離し領域１９８は、第１のすくい面２６４の基端を第２のすくい面２６５の末端から分離する。
【００４８】
［００６０］    第１のすくい面２６４の深さ（すなわち、刃部２６６の第１の部分２８４の間からクリアランス面２６８までの距離）は、第１のすくい面２６４の末端から対応する第２の点２９６まで増大することができる。第１のすくい面２６４の深さは、第２の点２９６から第１の点２９４まで減少することができる。第２のすくい面２６５の深さ（すなわち、刃部２６６の第２の部分２９２の間からクリアランス面２６９までの距離）は、第２のすくい面２６５の末端及び（または）点２９６から赤道（破線３０４で示した外科用バー２５４の中間線又は平面状部分）及び（または）第２のすくい面２６５の基端まで増大することができる。
【００４９】
［００６１］    赤道３０４は、外科用バー２５４の平面状所部分を意味し、該平面状部分は、長手方向軸線２６２に対して垂直であり、かつ外科用バー２５４の直径が最大である箇所にあるようにすることができる。赤道３０４は、（ｉ）刃部２６６の第２の部分２９２が長手方向軸線２６２を横断する第３の点３０６の基端側で、かつ（ｉｉ）第１の点２９４の基端側にある。
【００５０】
［００６２］    刃部２６６のすくい面２６４、２６５及びそれぞれの部分２８４、２９２は、部分８５２８４、２９２のすくい角を切り離しかつそれぞれの機能を有している。刃部２６６の第１の部分２８４は、縦溝２６０の末端にあり、穿孔するときの安定性を提供する。すくい面２６４、２６５が切り離されているため、刃部２６６の第２の部分２９２を使用するとき、刃部２６６の第１の部分２８４が側部切断又は研削に与える影響が最小であり、又は何ら有害な影響を与えない。刃部２６６の第２の部分２９２は、本体２５６の側部に沿ってかつ赤道３０４から離れて末端方向にかつ基端方向に伸びている。刃部２６６の第２の部分２９２は、効率的な側部切断又は研削を行う。すくい面２６４、２６５が切り離されているため、刃部２６６の第１の部分２８４を使用するとき、刃部２６６の第２の部分２９２が穿孔に与える影響は最小であり、又は何ら有害な影響を与えない。
【００５１】
［００６３］クリアランス（または末端）面２６８は、対応するみぞ角を有している。みぞ角の各々は、（ｉ）１つの末端面２６８に対して平行に伸びかつ該末端面上にあり、中心点２８０から及び長手方向軸線２６２から離れる線（または、平面）と、（ｉｉ）長手方向軸線２６２に対して垂直に伸びる線（または平面）との間の角度を意味する。
【００５２】
［００６４］    すくい面２６４の各々は、対応する半径方向すくい角３５０を有している。半径方向すくい角３５０は、（ｉ）１つのすくい面２６４に対して平行な線（または平面）３５２と、（ｉｉ）刃部２６６の第２の部分２９２及び長手方向軸線２６２を貫通する線（または平面）３５４との間の角度を意味する。すくい面２６４の半径方向すくい角２５０は、すくい面２６４の左側軸方向アスペクトに対応する長手方向軸線２６２に対して左側へリックスと関係付けることができる。
【００５３】
［００６５］    上記にて開示した実施例は、傷付き易い軟部組織構造体を切り裂くことなく、該軟部組織構造体（例えば、神経、血管、薄膜等）との接触を許容しつつ、骨を効率的に穿孔し、切断し、又は整形する設計とされた外科用バーの形態を含む。この形態は、硬膜がバーの末端部分に露呈される神経学的及び脊柱術に特に適用可能である。
【００５４】
［００６６］    特定の実施例において、外科用バーのすくい角は、所定の範囲内にあるものとし、かつ用途に基づくものとすることができる。
［００６７］    この開示が完全であり、かつ当業者に対して本発明の範囲を完全に伝えることができるように、一例としての実施例について説明した。本発明の実施の形態を完全に理解し得るように、特定の構成要素、装置及び方法の例のような、多数の特定の詳細を記載した。特定の詳細は、採用する必要はなく、また、当業者には、一例としての実施例は、多数の異なる形態にて具体化することができ、また、本発明の範囲を限定するものと解釈されるべきでないことが当業者には、明らかであろう。一部の実施の形態において、周知の方法、周知の装置構造体、及び周知の技術について、詳細には説明していない。
【００５５】
［００６８］    本明細書にて使用した技術用語は、特定の実施例を説明するためのものであり、限定的であることを意図するものではない。文脈上、明確にその他のものを意味することを示さない限り、本発明にて使用した単数の表現は、複数の形態をも含むことを意図するものである。
【００５６】
［００６９］  実施例の上記の説明は、図示しかつ説明の目的のために記載したものであり、本発明を限定し又は制限することを意図するものではない。特定の実施例の個別の要素又は特徴は、全体として、その特定の実施の形態を限定するものではなく、適用可能な場合、互換可能であり、また、特定的に図示し又は説明しない場合でさえ、選んだ実施の形態にて使用することができる。この説明は、多数の態様にて変更可能である。かかる変更は、本発明から逸脱するものとみなすべきではなく、かかるすべての改変例は、本発明の範囲に包含することを意図するものである。以下は、本願の出願当初の本発明の各種形態である。
（形態１）外科用バーにおいて、
複数の縦溝を備え、該複数の縦溝の各々は、刃部と、複数のすくい面と、クリアランス面とを備え、
複数の縦溝の１つの複数のすくい面は、互いに切り離されており、
複数のランド部を備え、該複数のランド部の各々は、１対の複数の縦溝の間に配される、外科用バー。
（形態２）形態１に記載の外科用バーにおいて、
複数の縦溝の１つの複数のすくい面は、
第１のすくい面と、
該第１のすくい面と異なるすくい角を有する第２のすくい面とを備える、外科用バー。
（形態３）形態２に記載の外科用バーにおいて、
第１のすくい面又は第２のすくい面は、複数の半径方向すくい角を有する、外科用バー。
（形態４）形態２に記載の外科用バーにおいて、
第１のすくい面及び第２のすくい面の各々は、複数の半径方向すくい角を有する、外科用バー。
（形態５）形態２から４の何れか１項に記載の外科用バーにおいて、
第１のすくい面又は第２のすくい面は、負の半径方向すくい角、中立の半径方向すくい角及び正の半径方向すくい角を含む、外科用バー。
（形態６）形態２から４の何れか１項に記載の外科用バーにおいて、
第１のすくい面又は第２のすくい面は、複数の半径方向すくい角を備え、
該複数の半径方向すくい角は、異なる頂点を有する、外科用バー。
（形態７）形態２に記載の外科用バーにおいて、
第１のすくい面は、外科用バーの対応する刃部に沿って第１の一定の半径方向すくい角を有し、
第２のすくい面は、外科用バーの対応する刃部に沿って第２の一定の半径方向すくい角を有する、外科用バー。
（形態８）上記形態の何れか１項に記載の外科用バーにおいて、
前記複数のランド部の各々は、凸型の形状である、外科用バー。
（形態９）形態１に記載の外科用バーにおいて、
前記複数の縦溝の１つは、
第１の頂点と、刃部の１つの第１の対応する部分とを有する第１のすくい面を備え、
該第１のすくい面の深さ寸法は、第１の頂点から刃部の１つの第１の対応する部分の基端における点まで増大し、
第２の頂点を有する第２のすくい面を備え、
該第２のすくい面の深さ寸法は、第２の頂点から、（ｉ）外科用バーの赤道、（ｉｉ）第２のすくい面の基端、（ｉｉｉ）外科用バーの基端、又は（ｉｖ）複数の縦溝の１つの基端まで増大する、外科用バー。
（形態１０）形態９に記載の外科用バーにおいて、
第１のすくい面の頂点は、同一の点にある、外科用バー。
（形態１１）形態９に記載の外科用バーにおいて、
複数の縦溝の前記１つは、切り離し領域を備え、
該切り離し領域は、複数の縦溝の前記１つの複数のすくい面の２つの間に配置される、外科用バー。
（形態１２）形態１に記載の外科用バーにおいて、
複数の縦溝の各々の複数のすくい面は、互いに切り離されており、
前記複数の縦溝の各々は、それぞれの切り離し領域を備え、
該切り離し領域の各々は、複数の縦溝の１つの対応する複数のすくい面の２つの間に配置される、外科用バー。
（形態１３）形態１に記載の外科用バーにおいて、
複数の縦溝の各々の複数のすくい面は、それぞれの点にて合わさる、外科用バー。
（形態１４）形態１に記載の外科用バーにおいて、
前記複数の縦溝の各々の複数のすくい面は、
第１のすくい面と、
頂点を有する第２のすくい面と、を備え、
複数の縦溝の各々に対して、第１のすくい面の各々の基端点又は端部は、対応する第２のすくい面のそれぞれの頂点にある、外科用バー。
（形態１５）形態１に記載の外科用バーにおいて、
前記複数の縦溝の各々における複数のすくい面は、それぞれの平面にあり、かつ外科用バーの長手方向軸線に対して異なる角度にある、外科用バー。・
（形態１６）形態１に記載の外科用バーにおいて、
前記複数の縦溝の１つは、
第１の軸方向角度を有する第１のすくい面と、
第２の軸方向角度を有する第２のすくい面と、を備え、
前記第１の軸方向角度及び第２の軸方向角度の１つは、外科用バーの長手方向軸線に対して正の軸方向角度であり、前記第１の軸方向角度及び第２の軸方向角度の他方は、該長手方向軸線に対して負の軸方向角度である、外科用バー。
（形態１７）形態１６に記載の外科用バーにおいて、
前記第１の軸方向角度は、負の軸方向すくい角であり、
前記第２の軸方向角度は、正の軸方向すくい角であり、
前記第２のすくい角は、前記第１のすくい面の基端側にある、外科用バー。
（形態１８）形態１６又は１７に記載の外科用バーにおいて、
前記第１のすくい面は、外科用バーの対応する刃部に沿って第１の一定の軸方向すくい角を有し、
前記第２のすくい面は、外科用バーの対応する刃部に沿って第２の一定の軸方向すくい角を有する、外科用バー。
（形態１９）形態１に記載の外科用バーにおいて、
複数の軸方向逃がし面を有する穿孔点を更に備え、
前記複数の軸方向逃がし面の各々は、（ｉ）刃部の各１つの末端部分と、（ｉｉ）ランド部の各１つと、（ｉｉｉ）クリアランス面の各１つと境を接する、外科用バー。
（形態２０）形態１９に記載の外科用バーにおいて、
前記複数の軸方向逃がし面の各々は、平面状領域を有し、かつ前記ランド部から区別される、外科用バー。
（形態２１）外科用バーにおいて、
複数の縦溝を備え、該複数の縦溝の各々は、刃部と、複数のすくい面と、クリアランス面とを備え、縦溝の１つの複数のすくい面は、
第１のすくい角を有する第１のすくい面と、
第２のすくい角を有する第２のすくい面と、を備え、前記第２のすくい角は、前記第１の角掬い角から切り離されており、
複数のランド部を更に備え、該複数のランド部の各々は、１対の複数の縦溝の間に配設される、外科用バー。
（形態２２）形態２１に記載の外科用バーにおいて、
前記縦溝の１つの第１のすくい面は、負の軸方向すくい角を有し、
前記縦溝の１つの第２のすくい面は、正の半径方向すくい角を有する、
（形態２３）形態２１に記載の外科用バーにおいて、
前記縦溝の１つの第１のすくい面及び刃部の１つの第１の対応する部分は、外科用バーの長手方向軸線に対して平行に又は該長手方向軸線に沿った方向に穿孔する形態とされ、
前記縦溝の１つの第２のすくい面及び刃部の１つの第２の対応する部分は、外科用バーの長手方向軸線に対して半径方向又は横方向に切断する形態とされた、外科用バー。
（形態２４）形態２１に記載の外科用バーにおいて、
前記刃部の各々は、
前記第１のすくい面の１つに第１の対応する部分を備え、該第１の部分は、外科用バーを側部から見たとき、外科用バーの長手方向軸線の第１の側部にあり、
前記第２のすくい面の１つに相応し、かつする第１の部分の対応する１つから伸び、また、該対応する部分の基端側にある第２の部分を更に備え、
該第２の部分は、外科用バーを側部から見たとき、長手方向軸線を横断する、外科用バー。
（形態２５）形態２１に記載の外科用バーにおいて、
前記複数の縦溝の前記１つの複数のすくい面は、互いに切り離されている、外科用バー。
（形態２６）形態２１に記載の外科用バーにおいて、
第１のすくい面は、第１の頂点と、刃部の１つの第１の対応する部分とを有し、
該第１のすくい面の深さ寸法は、該頂点から前記刃部の１つの第１の対応する部分の基端の点まで増大し、
前記第２のすくい面は、第２の頂点を有し、
該第２のすくい面の深さ寸法は、第２の頂点から、（ｉ）外科用バーの赤道、（ｉｉ）第２のすくい面の基端、（ｉｉｉ）外科用バーの基端、又は（ｉｖ）複数の縦溝の１つの基端まで増大する、外科用バー。
（形態２７）形態２１に記載の外科用バーにおいて、
前記第１のすくい面の頂点は、同一の点にある、外科用バー。
（形態２８）形態２１に記載の外科用バーにおいて、
前記複数の縦溝の前記１つは、切り離し領域を備え、
該切り離し領域は、第１のすくい面と第２のすくい面との間に配置される、外科用バー。
（形態２９）形態２１に記載の外科用バーにおいて、
前記複数の縦溝の各々は、それぞれの切り離し領域を備え、
前記切り離し領域の各々は、前記複数の縦溝の各１つの複数のすくい面の２つの間に配置される、外科用バー。
（形態３０）形態２１に記載の外科用バーにおいて、
前記複数の縦溝は、それぞれの第１のすくい面と、それぞれの第２のすくい面とを備え、
前記複数の縦溝の各々に対して、第１のすくい面は、それぞれの点にて第２のすくい面と合わさり、
第２のすくい面の各々は、それぞれの頂点を備え、
前記複数の縦溝の各々に対して、第１のすくい面の各々の基端点又は基端は、対応する第２のすくい面のそれぞれの頂点にある、外科用バー。
（形態３１）形態２１に記載の外科用バーにおいて、
複数の軸方向の逃がし面を有する穿孔点を更に備え、
前記複数の軸方向逃がし面の各々は、（ｉ）刃部１８６の各１つの末端部分と、（ｉｉ）ランド部の各１つと、（ｉｉｉ）クリアランス面の各１つと境を接する、外科用バー。
【手続補正３】
【補正対象書類名】図面
【補正対象項目名】図６
【補正方法】変更
【補正の内容】
【図６】
2020036968.tif 000013
【手続補正４】
【補正対象書類名】図面
【補正対象項目名】図７
【補正方法】変更
【補正の内容】
【図７】
2020036968.tif 000014
【手続補正５】
【補正対象書類名】図面
【補正対象項目名】図８
【補正方法】変更
【補正の内容】
【図８】
2020036968.tif 000015
【手続補正６】
【補正対象書類名】図面
【補正対象項目名】図９
【補正方法】変更
【補正の内容】
【図９】
2020036968.tif 000016
【外国語明細書】
2020036968000001.pdf